(57)【要約】【課題】位置情報の履歴に基づきユーザにとって最適なコンテンツを選択し、簡易にコンテンツをユーザに提供する。【解決手段】コンテンツ管理サーバは、当該通信端末の位置情報が管理されている通信端末のユーザに提供するコンテンツを管理するコンテンツ管理サーバであって、前記通信端末の位置情報の履歴を記憶する履歴記憶手段と、前記位置情報の履歴に基づき、前記通信端末のユーザの同行者の有無を判定する同行者判定手段と、前記同行者判定手段による判定結果に基づき、前記ユーザに提供するコンテンツを選択する選択手段とを有する。【選択図】図１７
2014115842.tif 000002
【特許請求の範囲】
【請求項１】
当該通信端末の位置情報が管理されている通信端末のユーザに提供するコンテンツを管理するコンテンツ管理サーバであって、
前記通信端末の位置情報の履歴を記憶する履歴記憶手段と、
前記位置情報の履歴に基づき、前記通信端末のユーザの同行者の有無を判定する同行者判定手段と、
前記同行者判定手段による判定結果に基づき、前記ユーザに提供するコンテンツを選択する選択手段とを有するコンテンツ管理サーバ。
【請求項２】
前記選択手段は、
前記同行者判定手段により同行者が存在すると判定された場合、前記ユーザ及び前記同行者のユーザ属性に基づき、前記コンテンツを選択する請求項１記載のコンテンツ管理サーバ。
【請求項３】
前記選択手段は、
前記同行者判定手段により同行者が存在しないと判定された場合、前記ユーザの位置情報の履歴に基づき、前記コンテンツを選択する請求項１記載のコンテンツ管理サーバ。
【請求項４】
前記同行者判定手段は、
前記位置情報の履歴に基づく前記ユーザが所持する前記通信端末の位置から所定の範囲内に位置する他の通信端末が所定の時間継続して存在する場合、同行者が存在すると判定する請求項１乃至３のいずれか一項に記載のコンテンツ管理サーバ。
【請求項５】
前記コンテンツを表示する表示装置の位置情報を記憶する表示装置記憶手段と
前記選択されたコンテンツを、前記通信端末に最も近い場所に位置する前記表示装置に配信する配信手段とを有する請求項１乃至４のいずれか一項に記載のコンテンツ管理サーバ。
【請求項６】
前記同行者判定手段は、
前記通信端末のユーザが所持する携帯端末からのコンテンツ取得要求を受け付けると、該ユーザの同行者の有無を判定し、
前記選択されたコンテンツを、前記携帯端末に配信する配信手段を有する請求項１乃至４のいずれか一項に記載のコンテンツ管理サーバ。
【請求項７】
前記通信端末はＲＦＩＤタグである請求項１乃至６のいずれか一項に記載のコンテンツ管理サーバ。
【請求項８】
前記通信端末の前記位置情報は、該通信端末に最も近い、自機が設置された位置に対応する位置情報を配信する配信装置から地上補完信号を用いて配信された位置情報である請求項１乃至７のいずれか一項に記載のコンテンツ管理サーバ。
【請求項９】
当該通信端末の位置情報が管理されている通信端末と、該通信端末のユーザに提供するコンテンツを管理するコンテンツ管理サーバとを有するコンテンツ提供システムであって、
前記コンテンツ管理サーバは、
前記通信端末の位置情報の履歴を記憶する履歴記憶手段と、
前記位置情報の履歴に基づき、前記通信端末のユーザの同行者の有無を判定する同行者判定手段と、
前記同行者判定手段による判定結果に基づき、前記ユーザに提供するコンテンツを選択する選択手段とを有するコンテンツ提供システム。
【請求項１０】
当該通信端末の位置情報が管理されている通信端末のユーザに提供するコンテンツを管理するコンテンツ管理サーバにおいて実行されるコンテンツ管理プログラムであって、
前記通信端末の位置情報の履歴を記憶する履歴記憶手段、
前記位置情報の履歴に基づき、前記通信端末のユーザの同行者の有無を判定する同行者判定手段、
前記同行者判定手段による判定結果に基づき、前記ユーザに提供するコンテンツを選択する選択手段として機能させるコンテンツ管理プログラム。
【発明の詳細な説明】
【技術分野】
【０００１】
本発明は、コンテンツ管理サーバ、コンテンツ提供システム及びコンテンツ管理プログラムに関する。
【背景技術】
【０００２】
従来、Ｗｅｂサイトの広告バナーの表示等には、ユーザが過去に検索や購入した商品やサービス等に基づき、そのユーザの嗜好に合った商品等に関する広告を表示するレコメンドシステムが利用されている。レコメンドシステムは、協調フィルタリングと呼ばれる推論手法が用いられており、例えば、同じサイトにアクセスした複数のユーザがいた場合、それらのユーザ間には類似性があると定義する。そして、そのうち一部のユーザが「ある商品」を購入した履歴がある場合は、類似性があるその他のユーザも「ある商品」に興味があると推定し、「ある商品」に関する広告をその他のユーザに表示する。したがって、ユーザにランダムに広告を表示するのでは広告宣伝の効果として非効率であるが、レコメンドシステムを用いることにより効率的にユーザに広告を表示することができる。
【０００３】
一方、特許文献１には、通信端末の処理履歴等に基づいて、現在の行動状態と、過去のコンテンツ利用実績とを共に考慮して、コンテンツをユーザに配信する技術が開示されている。
【発明の概要】
【発明が解決しようとする課題】
【０００４】
しかしながら、従来の技術では、ユーザに表示する広告は、インターネット上での仮想的な空間における行動（サイトアクセスや電子商取引等）の履歴に基づくものであって、ユーザの物理的な移動を伴う行動の履歴を反映することはできないという課題がある。
【０００５】
また、特許文献１に記載の技術は、現在のある場所においてコンテンツが配信される場合、その場所を訪問している目的として考えられる様々な状況を判別したコンテンツを配信するものであり、あるユーザ一人に対して適当と判断されたコンテンツを配信できる。
【０００６】
しかしながら、ユーザに同行者がいる場合等において提供されるべき効果的なコンテンツは一人の場合と異なる場合が多く、きめ細かなユーザの行動特性を反映したコンテンツを配信できないという課題がある。
【０００７】
本発明は、上記の点に鑑みてなされたものであって、位置情報の履歴に基づきユーザにとって最適なコンテンツを選択し、簡易にコンテンツをユーザに提供することを目的とする。
【課題を解決するための手段】
【０００８】
上記課題を解決するため、コンテンツ管理サーバは、当該通信端末の位置情報が管理されている通信端末のユーザに提供するコンテンツを管理するコンテンツ管理サーバであって、前記通信端末の位置情報の履歴を記憶する履歴記憶手段と、前記位置情報の履歴に基づき、前記通信端末のユーザの同行者の有無を判定する同行者判定手段と、前記同行者判定手段による判定結果に基づき、前記ユーザに提供するコンテンツを選択する選択手段とを有する。
【発明の効果】
【０００９】
本発明の実施の形態によれば、位置情報の履歴に基づきユーザにとって最適なコンテンツを選択し、簡易にコンテンツをユーザに提供できる。
【図面の簡単な説明】
【００１０】
【図１】本発明の実施形態におけるコンテンツ提供システムの構成の一例を示す図である。
【図２】本発明の実施形態における配信装置及び通信端末の設置形態の一例を示す図である。
【図３】本発明の実施形態におけるコンテンツ提供システムの動作概要の一例を説明するための図である。
【図４】本発明の実施形態における通信端末のハードウェア構成の一例を示す図である。
【図５】本発明の実施形態における位置情報のデータのフォーマットの一例を示す概念図である。
【図６】本発明の実施形態における位置情報を含むデータのデータ構造の一例を示す概念図である。
【図７】本発明の実施形態における配信装置のハードウェア構成図の一例を示す図である。
【図８】本発明の実施形態における配信装置が配信する位置情報の一例を示す概念図である。
【図９】本発明の実施形態におけるゲートウェイ装置のハードウェア構成の一例を示す図である。
【図１０】本発明の実施形態における位置情報管理サーバのハードウェア構成の一例を示す図である。
【図１１】本発明の実施形態におけるコンテンツ管理サーバのハードウェア構成の一例を示す図である。
【図１２】本発明の実施形態における表示装置のハードウェア構成の一例を示す図である。
【図１３】本発明の実施形態におけるユーザ所有物が携帯端末である場合のハードウェア構成の一例を示す図である。
【図１４】本発明の実施形態における配信装置及び通信端末の機能構成の一例を示す図である。
【図１５】本発明の実施形態におけるゲートウェイ装置及び位置情報管理サーバの機能構成の一例を示す図である。
【図１６】本発明の実施形態における位置情報管理サーバの位置情報記憶部に記憶される情報の一例を示す図である。
【図１７】本発明の実施形態におけるコンテンツ管理サーバ及び表示装置の機能構成の一例を示す図である。
【図１８】本発明の実施形態におけるコンテンツ管理サーバの位置情報履歴記憶部に記憶される情報の一例を示す図である。
【図１９】本発明の実施形態におけるコンテンツ管理サーバの配信場所記憶部に記憶される情報の一例を示す図である。
【図２０】本発明の実施形態におけるコンテンツ管理サーバの通信端末所有者情報記憶部に記憶される情報の一例を示す図である。
【図２１】本発明の実施形態におけるユーザ属性を入力する画面の一例を示す図である。
【図２２】本発明の実施形態におけるコンテンツ管理サーバの店舗情報記憶部に記憶される情報の一例を示す図である。
【図２３】本発明の実施形態における位置情報により店舗の領域を定義する方法の一例を示す概要図である。
【図２４】本発明の実施形態におけるコンテンツ管理サーバのコンテンツデータ記憶部に記憶される情報の一例を示す図である。
【図２５】本発明の実施形態におけるコンテンツ提供システムが通信端末の位置情報を管理する動作手順の一例を示すシーケンス図である。
【図２６】本発明の実施形態におけるコンテンツ提供システムが位置情報履歴を作成・更新する動作手順の一例を示すシーケンス図である。
【図２７】本発明の実施形態におけるコンテンツ提供システムが位置情報履歴に基づきコンテンツを選択し配信する動作手順の一例を示すシーケンス図である。
【図２８】本発明の実施形態におけるコンテンツ管理サーバによる位置情報履歴の作成・更新処理手順の一例を示すフローチャート図である。
【図２９】本発明の実施形態におけるコンテンツ管理サーバによるコンテンツの配信制御の処理手順の一例を示すフローチャート図である。
【図３０】本発明の実施形態におけるコンテンツ管理サーバによるユーザの同行者有無判定の処理手順の一例を示すフローチャート図である。
【図３１】本発明の実施形態の変形例におけるユーザ所有物（携帯端末）及びコンテンツ管理サーバの機能構成の一例を示す図である。
【図３２】本発明の実施形態の変形例におけるコンテンツ取得アプリにより表示される画面の一例を示す図である。
【図３３】本発明の実施形態の変形例におけるコンテンツ提供システムが位置情報履歴に基づきコンテンツを選択し配信する動作手順の一例を示すシーケンス図である。
【発明を実施するための形態】
【００１１】
以下、本発明の実施の形態（以下、「実施形態」という。）について、図面を用いて説明する。
〔本発明の実施形態〕
[システム構成]
図１は、本発明の実施形態におけるコンテンツ提供システム１のシステム構成の一例を示す図である。図１に示されるように、コンテンツ提供システム１は、通信端末５ａ、５ｂ、・・・５ｎ（それぞれを区別しない場合は「通信端末５」という。）と、ユーザ所有物４ａ、４ｂ、・・・４ｎ（それぞれを区別しない場合は「ユーザ所有物４」という。）と、表示装置６ａ、６ｂ、・・・６ｎ（それぞれを区別しない場合は「表示装置６」という。）と、配信装置３と、ゲートウェイ装置７と、コンテンツ管理サーバ８と、位置情報管理サーバ９とを有する。ユーザ所有物４には通信端末５が取り付けられている。なお、配信装置３及びゲートウェイ装置７は、複数存在してもよい。通信端末５と配信装置３とゲートウェイ装置７とは、例えばＩＥＥＥ８０２．１５．４規格のアーキテクチャモデルのうち物理層とＭＡＣ層を採用したＺｉｇＢｅｅ（登録商標）によるネットワーク８９１を介して通信可能に接続されている。この場合、日本、米国、欧州等の利用領域に応じて、配信装置３は、８００ＭＨｚ帯、９００ＭＨｚ帯又は２．４ＧＨｚ帯を利用し、隣接する他の配信装置３を経由して、ゲートウェイ装置７にデータを送信することができる。ゲートウェイ装置７と位置情報管理サーバ９とは、ＬＡＮ（Local  Area  Network）又はインターネット等のネットワーク８９２を介して、通信可能に接続されている。位置情報管理サーバ９とコンテンツ管理サーバ８とは、ＬＡＮ又はインターネット等のネットワークを介して通信可能に接続されている。コンテンツ管理サーバ８と表示装置６とは、ＩＥＥＥ８０２．１１規格に準拠する無線ＬＡＮ等のネットワーク８９３を介して通信可能に接続されている。なお、ネットワーク８９１、ネットワーク８９２及びネットワーク８９３等の通信方式は上記に限らず、各装置間の通信が可能であれば、例えば移動通信網や近距離無線通信規格のＩＥＥＥ８０２．１５．１（Ｂｌｕｅｔｏｏｔｈ（登録商標））等であってもよい。
【００１２】
コンテンツ提供システム１において、位置情報管理サーバ９は、通信端末５の位置情報を管理する。すなわち、通信端末５が取り付けられたユーザ所有物４の位置は、通信端末５の位置情報に基づき特定可能である。コンテンツ提供システム１は、通信端末５（ユーザ所有物４）を所持するユーザの属性（ユーザ属性）や過去のユーザの移動経路（位置情報の履歴）に基づき、ユーザの嗜好に合ったコンテンツを選択し提供するシステムである。コンテンツ提供システム１は、コンテンツ管理サーバ８に、通信端末５の位置情報の履歴に基づき、複数の通信端末５のうち一つの通信端末５とともに移動した他の通信端末５の有無を判定させる。そして、ともに移動した他の通信端末５が存在する場合は、ともに移動した通信端末５のユーザ属性に基づき、コンテンツを選択させる。すなわち、コンテンツ提供システム１は、ユーザに同行者がいるのか否かを判定し、判定結果に合ったコンテンツを提供する。なお、コンテンツ提供システム１は、選択したコンテンツを、通信端末５の位置情報に基づき、ユーザ（通信端末５）の近くに位置する表示装置６に表示する。また、本発明の実施形態におけるユーザ属性とは、例えばユーザの性別、生年月日（年代）、職業、趣味等のようなユーザの特性を示す情報である。また、本発明の実施形態におけるコンテンツとは、例えば、商業施設における店舗やその店舗で扱う商品等を広告する情報及び休憩する場所（休憩に適する飲食店等の店舗やベンチ等）を示す情報等を含む電子的な静止画又は動画等のデータである。コンテンツ提供システム１は、屋内の商業施設等におけるショッピング、アミューズメントパーク又は複数の会場（場所）を利用したセミナー等に適用できる。
【００１３】
配信装置３は、図２に示されるような室内の天井等に設置された電気機器２ａ、２ｂ、・・・２ｎ（それぞれを区別しない場合は「電気機器２」という。）に内蔵されるか又はこれらの外部に取り付けられている。
【００１４】
図２は、本発明の実施形態における配信装置３及び通信端末５の設置形態の一例を示す図である。電気機器２は、配信装置３に対して電力を供給する。電気機器２は、例えば蛍光灯型ＬＥＤ(Light  Emitting  Diode)照明器具である。なお、電気機器２はＬＥＤ照明器具に限らず、例えば一般の蛍光灯や換気扇、スピーカ、監視カメラ、エアコン等であってもよい。配信装置３は、自機が固定された位置に対応する位置情報を所有し、その位置情報を無線信号により所定の範囲に対して連続的又は断続的に送信する。所定の範囲は、用いられる無線信号の信号強度及び送信アンテナの指向性等によって定められる。配信装置３は、位置の管理対象となる領域をカバーするように配置され、それぞれの領域が重複しないように構成される。あるいは重複する場合であっても、位置情報を受信する側において、受信電波の強度に基づいて、いずれか一つの配信装置３が決定できるように構成される。図２の例では、配信装置３の下方に示される円錐型の点線が、所定の範囲を表している。位置情報を送信する通信方式として、例えば地上補完信号ＩＭＥＳ（Indoor  Messaging  System）を用いることができる。また、配信装置３は通信端末５又はゲートウェイ装置７に対して位置情報以外のデータも送受信できる。
【００１５】
通信端末５は、図１又は図２に示されるように、ユーザ所有物４に取り付けられており、例えばＲＦＩＤ（Radio  Frequency  IDentification）タグである。なお、通信端末５は、ユーザ所有物４の外部に取り付けられる場合に限らず、ユーザ所有物４に内蔵されていてもよい。通信端末５は、例えば配信装置３から送信される地上補完信号ＩＭＥＳ規格に準ずる測位信号を受信して、位置情報を取得する。そして、通信端末５は、ネットワーク８９１を介して、受信した位置情報を位置情報管理サーバ９に送信する。なお、通信端末５から送信される位置情報には、通信端末５を一意に識別する識別情報が含まれる。ここで識別情報とは、例えば通信端末５のＭＡＣ（Media  Access  Control）アドレスである。なお、識別情報はＭＡＣアドレスに限らず、機器を一意に識別できる情報であればよく、例えばデバイスＩＤ等であってもよい。
【００１６】
ユーザ所有物４は、いわゆるユーザが所有し携帯する物品であって、例えばスマートフォンやタブレット端末等の携帯端末や所有者を識別するＩＤカード等である。なお、ユーザ所有物４は、通信端末５を取り付けることが可能であり、ユーザが携行可能であれば電子機器に限らず、例えばユーザが携行する財布や筆箱、衣服等であってもよい。
【００１７】
表示装置６は、情報（コンテンツ）の表示出力機能及びネットワーク８９３を介しコンテンツ管理サーバ８とデータの送受信をするための情報通信機能等を有する。表示装置６は、例えばプロジェクタ、有機ＥＬ（Electro  Luminescence）ディスプレイ若しくは液晶ディスプレイ又はＰＣ（Personal  Computer）等である。
【００１８】
ゲートウェイ装置７は、ネットワーク８９１とネットワーク８９２とを相互に接続し、一方のネットワークから送信されたデータを他方のネットワークにブリッジする。ゲートウェイ装置７は、例えば建物のフロア毎又は壁等で仕切られた部屋毎に設置される。ネットワーク８９１がＩＥＥＥ８０２．１５．４規格及びＺｉｇＢｅｅ（登録商標）によるネットワークであり、ネットワーク８９２がＩＥＥＥ８０２．３規格に準拠するＬＡＮである場合は、それらの間の通信方式の変換を行う。
【００１９】
位置情報管理サーバ９は、通信端末５の位置情報を管理する位置情報管理機能及び情報通信機能等を有するコンピュータである。ここで、位置情報管理サーバ９による位置情報の管理処理の一例の概略を説明する。
【００２０】
本発明の実施形態では、例えば、天井に設置されている配信装置３は、無線通信によりこの配信装置３が設置された位置を示す位置情報を配信する。これにより、通信端末５は配信装置３から配信された位置情報を受信する。
【００２１】
次に、通信端末５は、無線通信により配信装置３に、通信端末５を識別するための識別情報と受信した位置情報とを送信する。この場合、通信端末５は、配信装置３から配信され受信した位置情報を、配信装置３に送り返すことになる。これにより、配信装置３は、通信端末５の識別情報及び位置情報を受信する。
【００２２】
次に、配信装置は、無線通信により、ゲートウェイ装置７に通信端末５の識別情報及び位置情報を送信する。
【００２３】
そして、ゲートウェイ装置７は、ネットワーク８９２を介して位置情報管理サーバ９に通信端末５の識別情報及び位置情報を送信する。
【００２４】
位置情報管理サーバ９は、通信端末５の識別情報及び位置情報を管理する。これにより、コンテンツ提供システム１の管理者（以下、単に「管理者」という。）は、通信端末５と通信端末５が取り付けられたユーザ所有物４の位置を管理できる。
【００２５】
なお、通信端末５は、位置情報を送信した配信装置３よりさらに近傍にゲートウェイ装置７が存在する場合には、位置情報等のデータをゲートウェイ装置７に送信してもよい。これにより、最短経路で通信端末５の識別情報と位置情報とを位置情報管理サーバ９に送信できる。
【００２６】
コンテンツ管理サーバ８は、ユーザに提供するコンテンツや通信端末５の位置情報の履歴等を記憶する情報記憶機能、各装置とデータを送受信するための情報通信機能等を有するコンピュータである。
【００２７】
［システム動作概要］
本発明の実施形態におけるコンテンツ提供システム１の動作概要を図３を用いて説明する。図３は、本発明の実施形態におけるコンテンツ提供システム１の動作概要の一例を説明するための図である。
【００２８】
Ｓ１：コンテンツ提供システム１において位置情報管理サーバ９により通信端末５の位置情報が管理されている。具体的には、配信装置３は、位置情報を定期的（例えば２０秒毎）に配信している。そして、通信端末５は、通信端末５が動いた時又は一定間隔（例えば３０秒間隔）で位置情報を受信し、配信装置３及びゲートウェイ装置７を介して、位置情報管理サーバ９に受信した位置情報を送信する。
【００２９】
Ｓ２：コンテンツ管理サーバ８は、通信端末５の位置情報の履歴（位置情報履歴）を管理する。本発明の実施形態における位置情報履歴とは、現在及び過去の位置情報の時系列データである。コンテンツ管理サーバ８は、所定の周期（例えば６０秒）で位置情報管理サーバ９から位置情報を取得し、位置情報履歴を作成、更新する。
【００３０】
Ｓ３：コンテンツ管理サーバ８は、位置情報履歴に基づき、コンテンツが配信される場所（配信場所）における通信端末５の位置情報を検出する。本発明の実施形態の配信場所とは、コンテンツ管理サーバ８からコンテンツが配信される契機となる場所である。具体的には、通信端末５が配信場所に進入すると、コンテンツ管理サーバ８から配信場所に位置するユーザの近傍の表示装置６にコンテンツが配信される。
【００３１】
Ｓ４：コンテンツ管理サーバ８は、配信場所での通信端末５の位置情報が検出されると、位置情報履歴に基づき、ある通信端末５のユーザの同行者の有無を判定する。具体的には、コンテンツ管理サーバ８は、位置情報履歴を参照し、ある通信端末５の位置から所定の範囲内に所定の時間継続して位置している他の通信端末５の有無を判定する。所定の時間継続して、所定の範囲内に位置する他の通信端末５が存在する場合は、「同行者有り」と判定される。一方、所定の時間継続して、所定の範囲内に位置する他の通信端末５が存在しない場合は、「同行者無し」と判定される。なお、同行者は、複数人（複数の通信端末５）が存在してもよい。
【００３２】
Ｓ５：コンテンツ管理サーバ８は、判定結果に基づき配信するコンテンツを選択する。具体的には、判定結果が「同行者有り」の場合、同行者及び同行されたユーザのユーザ属性に基づきコンテンツが選択される。一方、判定結果が「同行者無し」の場合、ユーザの位置情報履歴に基づき、例えば過去に訪問した店舗に関連するコンテンツが選択される。
【００３３】
Ｓ６：コンテンツ管理サーバ８は、ユーザが位置する配信場所の近傍に位置する表示装置６に、選択したコンテンツを配信する。
【００３４】
上述した動作により、コンテンツ提供システム１は、ユーザの位置情報履歴からユーザの同行者の有無を判定し、判定結果に基づく適当なコンテンツを、ユーザの近傍の表示装置６に提供できる。
【００３５】
[ハードウェア構成]
＜通信端末＞
図４は、本発明の実施形態における通信端末５のハードウェア構成の一例を示す図である。
【００３６】
図４に示されるように、通信端末５は、制御部１４及び無線通信部１５によって構成されている。
【００３７】
このうち、制御部１４は、制御部１４全体の動作を制御するＣＰＵ４０１、基本入出力プログラムを記憶したＲＯＭ４０２、ＣＰＵ４０１のワークエリアとして使用されるＲＡＭ４０３、配信装置３から配信される位置情報を受信する通信回路４０４及びアンテナ４０４ａ、加速度を検出する加速度センサ４０５、無線通信部１５と信号の送受信を行うＩ／Ｆ４０８、及び上記各部を電気的に接続するためのアドレスバスやデータバス等のバスライン４０９を備えている。また、制御部１４は、ボタン電池４０６も設けられており、このボタン電池４０６によって駆動される。なお、本発明の実施形態では、ボタン電池４０６を使う場合について説明するが、ボタン型に限らず、単３もしくは単４等の乾電池又は通信端末５に専用の電池であってもよい。
【００３８】
通信回路４０４は、アンテナ４０４ａによって、ＩＭＥＳを利用して配信された位置情報を受信する。また、制御部１４は、コネクタ４０９ａを介して無線通信部１５に、ボタン電池４０６の電力を供給する。さらに、制御部１４は、Ｉ／Ｆ４０８からコネクタ４０９ｂを介して無線通信部１５とデータ（信号）の送受信を行う。
【００３９】
また、加速度センサ４０５は、通信端末５の加速度の変化を検出する。加速度の変化は、例えば、通信端末５が移動を開始した時、通信端末５が移動を停止した時又は通信端末５が傾いた時等に検出される。ＣＰＵ４０１の処理が停止中の場合、加速度センサ４０５が加速度の変化を検出すると、ＣＰＵ４０１へ処理を始動させるための信号を送信する。これにより、ＣＰＵ４０１は、自己の処理を始動させると共に、通信回路４０４に対して処理を始動させるための信号を送信する。よって、位置情報が配信装置３から配信されている場合、通信端末５の通信回路４０４は、アンテナ４０４ａを介して位置情報の受信を開始することができる。
【００４０】
一方、無線通信部１５は、上記無線通信部１３と基本的に同じ構成を有し、無線通信部１３と同じ帯域を利用して、配信装置３の無線通信部１３とデータの送受信を行うことができる。そして、無線通信部１５は、図４に示されるように、無線通信部１５全体の動作を制御するＣＰＵ５０１、基本入出力プログラム及び識別情報を記憶したＲＯＭ５０２、ＣＰＵ５０１のワークエリアとして使用されるＲＡＭ５０３、位置情報や識別情報を送信する通信回路５０４及びアンテナ５０４ａ、制御部１４と信号の送受信を行うＩ／Ｆ５０８、及び、上記各部を電気的に接続するためのアドレスバスやデータバス等のバスライン５０９を備えている。なお、無線通信部１５においても、ＺｉｇＢｅｅ（登録商標）を用いてもよい。
【００４１】
また、通信回路５０４は、ＣＰＵ５０１からの命令により、コネクタ４０９ｂを介して、制御部１４のＲＡＭ４０３に記憶されている位置情報を取得する。さらに、通信回路５０４は、ＲＯＭ５０２に記憶されている識別情報を読み出し、上記取得された位置情報と共にアンテナ５０４ａを介して配信装置３へ送信する。
【００４２】
また、通信回路５０４によって送信される位置情報のデータは、図５に示すようなフォーマットにより構成されている。図５は、本発明の実施形態における位置情報のデータのフォーマットの一例を示す概念図である。図５の例では、階数、緯度、経度、棟番号の各フィールドが、それぞれ９ビット、２１ビット、２１ビット、８ビットで表現され、各フィールドの表現形式はＩＭＥＳ規格に準ずる。実際にはこのフォーマットに加えて通信方式によって規定されるヘッダやチェックサム情報が付加され、図６に示されるように送信先、送信元及びデータ内容（位置情報等）が含まれている。図６は、本発明の実施形態における位置情報を含むデータのデータ構造の一例を示す概念図である。
【００４３】
＜配信装置＞
図７は、本発明の実施形態における配信装置３のハードウェア構成の一例を示す図である。なお、図７の例は、配信装置３が内蔵される電気機器２がＬＥＤ照明器具の場合の蛍光灯型ＬＥＤランプのハードウェア構成図である。
【００４４】
図７に示されるように、ＬＥＤランプ１３０は、主に電源制御部１４０、リード線（１５１ａ、１５１ｂ）、端子ピン（１５２ａ１、１５２ａ２、１５２ｂ１、１５２ｂ２）、リード線１５３、リード線１５４、リード線１５５及び配信装置３によって構成されている。このうち電源制御部１４０は、電源から出力される電流を制御し、主に、電流監視回路１４１及び平滑回路１４２によって構成されている。電流監視回路１４１は、電源から出力される電流を入力して整流する。平滑回路１４２は、電流監視回路１４１によって整流された電流を平滑し、リード線（１５１ａ、１５１ｂ）を介して各端子ピン（１５２ａ１、１５２ａ２、１５２ｂ１、１５２ｂ２）に電力を供給する。
【００４５】
また、電源制御部１４０と端子ピン（１５２ａ１、１５２ａ２、１５２ｂ１、１５２ｂ２）は、リード線（１５１ａ、１５１ｂ）によって電気的に接続されている。電源制御部１４０と配信装置３は、リード線１５４によって電気的に接続されている。なお、ＬＥＤ１６０は、図７において一つだけ示しているが、実際には複数のＬＥＤが取り付けられている。また、図７に示される構成のうち配信装置３以外は一般のＬＥＤランプと同じ構成である。
【００４６】
配信装置３は、電圧変換器１００、リード線１５５、制御部１１、位置情報配信部１２及び無線通信部１３によって構成されている。そして、電圧変換器１００がリード線１５５を介して、制御部１１、位置情報配信部１２及び無線通信部１３に電気的に接続されている。
【００４７】
このうち電圧変換器１００は、電源制御部１４０から供給された電力の電圧を配信装置３の駆動電圧に変換し、制御部１１、位置情報配信部１２及び無線通信部１３へ供給する電子部品である。
【００４８】
また、制御部１１は、制御部１１全体の動作を制御するＣＰＵ１０１、基本入出力プログラムを記憶したＲＯＭ１０２、ＣＰＵ１０１のワークエリアとして使用されるＲＡＭ１０３、位置情報配信部１２及び無線通信部１３とそれぞれ信号の送受信を行うＩ／Ｆ（１０８ａ、１０８ｂ）並びに上記各部を電気的に接続するためのアドレスバスやデータバス等のバスライン１０９を備えている。
【００４９】
また、位置情報配信部１２は、位置情報配信部１２全体の動作を制御するＣＰＵ２０１、基本入出力プログラム及び位置情報を記憶したＲＯＭ２０２、位置情報を配信する通信回路２０４及びアンテナ２０４ａ、制御部１１と信号の送受信を行うＩ／Ｆ２０８、並びに、上記各部を電気的に接続するためのアドレスバスやデータバス等のバスライン２０９を備えている。
【００５０】
このうち通信回路２０４は、屋内ＧＰＳと呼ばれる屋内測位技術の一つであるＩＭＥＳを利用し、アンテナ２０４ａによって位置情報を配信する。なお、図２には、位置情報の到達可能な範囲（配信可能な範囲）が仮想的に破線によって表されている。本発明の実施形態のＩＭＥＳでは、例えば屋内の天井高が約３ｍの場合に、屋内の床に表された位置情報の到達可能な仮想円の半径が約５ｍとなるように、送信出力が設定される。但し、この送信出力の設定を変更すれば、５ｍよりも小さくすることも可能であり、大きくすることも可能である。
【００５１】
また、本発明の実施形態において配信装置３が配信する位置情報は、蛍光灯型ＬＥＤ照明器具である電気機器２が設置された位置を示し、図８に示されるように、階数、緯度、経度、棟番号の項目を含む。
【００５２】
図８は、本発明の実施形態における配信装置が配信する位置情報の一例を示す概念図である。このうち階数は、電気機器２（配信装置３）が設置される建物の階数を表す。緯度及び経度は、電気機器２（配信装置３）が設置された位置の緯度及び経度を表す。棟番号は、電気機器２（配信装置３）が設置された建物の棟番号を表す。図８の例では、電気機器２（配信装置３）は、ある建物のＸ棟の２階で、緯度が北緯３５．６６６６０度、経度が東経１３９．７６５２０度の地点に設置されていることが示されている。なお、緯度は南緯、経度は西経により表されてもよい。
【００５３】
図７に戻り説明する。無線通信部１３は、無線通信部１３全体の動作を制御するＣＰＵ３０１、基本入出力プログラム及び装置識別情報を記憶したＲＯＭ３０２、ＣＰＵ３０１のワークエリアとして使用されるＲＡＭ３０３、位置情報や識別情報を受信してゲートウェイ装置７に送信する通信回路３０４及びアンテナ３０４ａ、制御部１１と信号の送受信を行うＩ／Ｆ３０８、及び、上記各部を電気的に接続するためのアドレスバスやデータバス等のバスライン３０９を備えている。
【００５４】
また、無線通信部１３は、９２０ＭＨｚ帯を利用してデータの送受信を行う。９２０ＭＨｚ帯は、電波到達性が高いため配信装置３とゲートウェイ装置７との間に建物の柱や壁が存在している場合であっても、配信装置３からゲートウェイ装置７にデータを送信することができるという効果を奏する。
【００５５】
さらに、通信回路３０４は、ＩＥＥＥ８０２．１５．４規格のアーキテクチャモデルのうち少なくとも物理層（レイヤ）の規格を利用し、アンテナ３０４ａによってデータの送受信を行う。また、この場合には、配信装置３（無線通信部１３）を識別するための装置識別情報として、ＭＡＣアドレスを用いることができる。
【００５６】
なお、通信回路３０４が用いる規格がＺｉｇＢｅｅ(登録商標)である場合は、隣接する他の配信装置３を経由して、ゲートウェイ装置７にデータを送信できる。このように他の配信装置３を経由してデータを送信するマルチホップ通信を利用すれば、各配信装置３の無線通信部１３は、ルーティング処理に時間が掛かるが、最寄りの配信装置３にデータが到達する程度の電力で通信すればよいため、省電力で駆動することができるというメリットがある。
【００５７】
また、配信装置３により配信される位置情報は、配信装置３の工場出荷前にメーカーによって記憶部２９に記憶されてもよいし、配信装置３の工場出荷後で天井に電気機器２が設置される際に設置者によって記憶されてもよい。さらに、位置情報は、位置情報管理サーバ９等の外部の装置から、ゲートウェイ装置７を介して無線通信により無線通信部１３の通信回路３０４が受信し、制御部１１を介して位置情報配信部１２のＲＯＭ２０２に記憶されるようにしてもよい。
【００５８】
＜ゲートウェイ装置＞
図９は、本発明の実施形態におけるゲートウェイ装置７のハードウェア構成の一例を示す図である。図９に示されるように、ゲートウェイ装置７は、無線通信部１７及び有線通信部１８によって構成されている。
【００５９】
このうち無線通信部１７は、上記無線通信部１３と基本的に同じ構成を有し、無線通信部１３と同じ帯域を利用して、配信装置３の無線通信部１３とデータの送受信を行うことができる。無線通信部１７は、図９に示されるように、無線通信部１７全体の動作を制御するＣＰＵ７０１、基本入出力プログラム及び装置識別情報を記憶したＲＯＭ７０２、ＣＰＵ７０１のワークエリアとして使用されるＲＡＭ７０３、位置情報等を送信する通信回路７０４及びアンテナ７０４ａ、有線通信部１８と信号の送受信を行うＩ／Ｆ７０８及び上記各部を電気的に接続するためのアドレスバスやデータバス等のバスライン７０９を備えている。また、無線通信部１７は、Ｉ／Ｆ７０８からコネクタ７０９ａを介して有線通信部１８と信号の送受信を行う。
【００６０】
なお、無線通信部１７においても、ＺｉｇＢｅｅ(登録商標)を利用してもよい。また、装置識別情報は、ゲートウェイ装置７（無線通信部１７）を識別するための固有の情報である。装置識別情報としては、例えば、ＭＡＣアドレスが挙げられる。
【００６１】
一方、有線通信部１８は、図９に示されるように、有線通信部１８全体の動作を制御するＣＰＵ８０１、基本入出力プログラム及びアドレス情報を記憶したＲＯＭ８０２、ＣＰＵ８０１のワークエリアとして使用されるＲＡＭ８０３、イーサネットコントローラ８０５、無線通信部１７と信号の送受信を行うＩ／Ｆ８０８ａ、ケーブル８０９を介しＬＡＮ８ｅに対しデータ（信号）の送受信を行うＩ／Ｆ８０８ｂ及び上記各部を電気的に接続するためのアドレスバスやデータバス等のバスライン８０９を備えている。
【００６２】
ここで、ＣＰＵ８０１及びイーサネットコントローラ８０５は、ＩＥＥＥ８０２．１５．４規格に準拠した通信方式（通信プロトコル）を、ＩＥＥＥ８０２．３規格に準拠した通信方式（通信プロトコル）に変換して、配信装置３から送られて来た各種データ（情報）を、イーサネット（登録商標）のパケット通信ができるように制御する。
【００６３】
さらに、アドレス情報は、ゲートウェイ装置７（有線通信部１８）を識別するための固有の情報である。アドレス情報としては、例えば、ＩＰ(Internet  Protocol)アドレスが挙げられる。なお、ＲＯＭ８０２には、ＭＡＣアドレスも記憶されているが、位置情報管理サーバ９との通信を簡単に説明するため、その説明を省略する。
【００６４】
＜位置情報管理サーバ＞
図１０は、本発明の実施形態における位置情報管理サーバ９のハードウェア構成の一例を示した図である。
【００６５】
位置情報管理サーバ９は、コンピュータによって構成されている。そして、位置情報管理サーバ９は、位置情報管理サーバ９全体の動作を制御するＣＰＵ９０１、ＩＰＬ（Initial  Program  Loader）等のＣＰＵ９０１の駆動に用いられるプログラムを記憶したＲＯＭ９０２、ＣＰＵ９０１のワークエリアとして使用されるＲＡＭ９０３、位置情報管理サーバ９用のプログラム等の各種データやアドレス情報を記憶するＨＤ９０４、ＣＰＵ９０１の制御にしたがってＨＤ９０４に対する各種データの読み出し又は書き込みを制御するＨＤＤ９０５、フラッシュメモリ等の記録メディア９０６に対するデータの読み出し又は書き込み（記憶）を制御するメディアドライブ９０７、カーソル、メニュー、ウィンドウ、文字又は画像等の各種情報を表示するディスプレイ９０８、ネットワーク８９２及びネットワーク８９３を利用してデータ通信するためのネットワークＩ／Ｆ９０９、文字、数値、各種指示等の入力のための複数のキーを備えたキーボード９１１、各種指示の選択や実行、処理対象の選択、カーソルの移動等を行うマウス９１２、着脱可能な記録媒体の一例としてのＣＤ−ＲＯＭ９１３に対する各種データの読み出し又は書き込みを制御するＣＤ−ＲＯＭドライブ９１４、無線通信を行う通信回路９１５及びアンテナ９１５ａ、外部機器を接続するための外部機器Ｉ／Ｆ９１６並びに上記各構成要素を電気的に接続するためのアドレスバスやデータバス等のバスライン９１０を備えている。
【００６６】
さらに、アドレス情報は、位置情報管理サーバ９を識別するための固有の情報である。アドレス情報としては、ＩＰアドレスが挙げられる。なお、ＲＯＭ９０２には、ＭＡＣアドレスも記憶されているが、ゲートウェイ装置７との通信を簡単に説明するため、その説明を省略する。
【００６７】
＜コンテンツ管理サーバ＞
図１１は、本発明の実施形態におけるコンテンツ管理サーバ８のハードウェア構成の一例を示した図である。
【００６８】
コンテンツ管理サーバ８は、コンピュータによって構成されている。そして、コンテンツ管理サーバ８は、コンテンツ管理サーバ８全体の動作を制御するＣＰＵ８２１、ＩＰＬ等のＣＰＵ８２１の駆動に用いられるプログラムを記憶したＲＯＭ８２２、ＣＰＵ８２１のワークエリアとして使用されるＲＡＭ８２３、コンテンツ管理サーバ８用のプログラム等の各種データやアドレス情報を記憶するＨＤ８２４、ＣＰＵ８２１の制御にしたがってＨＤ８２４に対する各種データの読み出し又は書き込みを制御するＨＤＤ８２５、フラッシュメモリ等の記録メディア８２６に対するデータの読み出し又は書き込み（記憶）を制御するメディアドライブ８２７、カーソル、メニュー、ウィンドウ、文字又は画像等の各種情報を表示するディスプレイ８２８、ネットワーク８９２及びネットワーク８９３を利用してデータ通信するためのネットワークＩ／Ｆ８２９、文字、数値、各種指示等の入力のための複数のキーを備えたキーボード８３１、各種指示の選択や実行、処理対象の選択、カーソルの移動等を行うマウス８３２、着脱可能な記録媒体の一例としてのＣＤ−ＲＯＭ８３３に対する各種データの読み出し又は書き込みを制御するＣＤ−ＲＯＭドライブ８３４、無線通信を行う通信回路８３５及びアンテナ８３５ａ、外部機器を接続するための外部機器Ｉ／Ｆ８３６並びに上記各構成要素を電気的に接続するためのアドレスバスやデータバス等のバスライン８３０を備えている。
【００６９】
さらに、アドレス情報は、コンテンツ管理サーバ８を識別するための固有の情報である。アドレス情報としては、ＩＰアドレスが挙げられる。なお、ＲＯＭ８２２には、ＭＡＣアドレスも記憶されている。
【００７０】
＜表示装置＞
図１２は、本発明の実施形態における表示装置６のハードウェア構成の一例を示した図である。
【００７１】
表示装置６は、表示装置６全体の動作を制御するＣＰＵ６０１、基本入出力プログラムを記憶したＲＯＭ６０２、ＣＰＵ６０１のワークエリアとして使用されるＲＡＭ６０３、フラッシュメモリ等の記録メディア６０４に対するデータの読み出し又は書き込み（記憶）を制御するメディアドライブ６０５を備えている。そして、メディアドライブ６０５の制御に従って、既に記録されていたデータが読み出され又は新たにデータが書き込まれて記憶する記録メディア６０４が着脱自在な構成となっている。
【００７２】
さらに、表示装置６は、ＩＥＥＥ８０２．１１規格に準拠する無線ＬＡＮ通信を行う無線ＬＡＮ通信部６０６、ユーザに対する情報を表示する液晶や有機ＥＬ等のディスプレイ６０７、ユーザからの入力を受け付けるインタフェースであるハードボタンやリモコン、ソフトキー等の入力部６０８、電気信号を音に変換し音声出力に用いられるスピーカ６０９及び上記各部を電気的に接続するためのアドレスバスやデータバス等のバスライン６１０を備えている。なお、無線ＬＡＮ通信に用いられるＩＰアドレスはＲＡＭ６０３に記憶され、表示装置６のＭＡＣアドレスはＲＯＭ６０２に記憶されている。
【００７３】
＜携帯端末＞
図１３は、本発明の実施形態におけるユーザ所有物４が携帯端末である場合のハードウェア構成の一例を示した図である。ユーザ所有物４（携帯端末）には通信端末５が外部に取り付けられている。但し、通信端末５が携帯端末に内蔵されている構成でもよい。
【００７４】
携帯端末は、携帯端末全体の動作を制御するＣＰＵ４２１、基本入出力プログラムを記憶したＲＯＭ４２２、ＣＰＵ４２１のワークエリアとして使用されるＲＡＭ４２３、ＣＰＵ４２１の制御にしたがってデータの読み出し又は書き込みを行うＥＥＰＲＯＭ４２４、ＣＰＵ４２１の制御に従って被写体を撮像し画像データを得るＣＭＯＳ（Complementary  Metal  OxＩＤe  Semiconductor）センサ４２５、地磁気を検知する電子磁気コンパスやジャイロコンパスや加速度センサ等の各種加速度・方位センサ４２６、フラッシュメモリ等の記録メディア４２７に対するデータの読み出し又は書き込み（記憶）を制御するメディアドライブ４２８を備えている。そして、メディアドライブ４２８の制御に従って、既に記録されていたデータが読み出され又は新たにデータが書き込まれて記憶する記録メディア４２７が着脱自在な構成となっている。
【００７５】
なお、ＥＥＰＲＯＭ４２４には、ＣＰＵ４２１が実行するオペレーティングシステム（ＯＳ）、その他のプログラム及び各種データが記憶されている。また、ＣＭＯＳセンサ４２５は、光を電荷に変換して被写体の画像を電子化する電荷結合素子であり、被写体を撮像することができれば、ＣＭＯＳセンサに限らず、ＣＣＤ（Charge  Coupled  Device）センサであってもよい。
【００７６】
さらに、携帯端末は、音声を音声信号に変換する音声入力部４３１、音声信号を音声に変換する音声出力部４３２、アンテナ４３３ａ、このアンテナ４３３ａを利用して無線通信信号により、最寄りの基地局と通信を行う通信部４３３、アクセスポイントとＩＥＥＥ８０２．１１規格に準拠する無線ＬＡＮ通信を行う無線ＬＡＮ通信部４３４、ＧＰＳ衛星からＧＰＳ信号を受信するＧＰＳ受信部４３５、被写体の画像や各種アイコン等を表示する液晶や有機ＥＬ等のディスプレイ４３６、このディスプレイ４３６上に載せられ、感圧式又は静電式のパネルによって構成され、指やタッチペン等によるタッチによってディスプレイ４３６上におけるタッチ位置を検出するタッチパネル４３７及び上記各部を電気的に接続するためのアドレスバスやデータバス等のバスライン４３０を備えている。また、携帯端末は、専用の電池４３８も設けられており、この電池４３８によって駆動される。なお、音声入力部４３１は、音声を入力するマイクが含まれ、音声出力部４３２には、音声を出力するスピーカが含まれている。
【００７７】
[機能構成]
図１４は、本発明の実施形態における配信装置３及び通信端末５の機能構成の一例を示す図である。
【００７８】
＜配信装置＞
まず配信装置３の機能構成を説明する。図１４に示されるように、配信装置３は、機能又は手段として、変換部１０、配信制御部２０、無線通信制御部３０を有する。
【００７９】
このうち変換部１０は、図７に示される電圧変換器１００が動作することによって実現される機能又は手段である。配信制御部２０は、図７に示される制御部１１及び位置情報配信部１２が動作することによって実現される機能又は手段である。さらに、無線通信制御部３０は、図７に示される制御部１１及び無線通信部１３が動作することによって実現される機能又は手段である。
【００８０】
配信制御部２０は、図７に示されるＲＯＭ２０２により構築される記憶部２９を有する。この記憶部２９には、配信装置３が設置されている位置を示す位置情報が記憶されている。さらに、配信制御部２０は、配信部２１、通信部２７及び記憶・読出部２８を有する。
【００８１】
このうち配信部２１は、図７に示されるＣＰＵ２０１及び通信回路２０４の処理によって実現され、配信可能な範囲内に位置情報を配信する。
【００８２】
通信部２７は、図７に示されるＣＰＵ１０１・２０１の処理、並びにＩ／Ｆ１０８ａ・２０８及びバス１０９・２０９によって実現され、無線通信制御部３０とのデータ（信号）の通信を行う。
【００８３】
記憶・読出部２８は、図７に示されるＣＰＵ１０１及びＣＰＵ２０１の処理によって実現され、記憶部２９に各種データを記憶し、記憶部２９から各種データを読み出す。記憶・読出部２８は、例えば、位置情報のデータの記憶や読み出しを行う。
【００８４】
無線通信制御部３０は、図７に示されるＲＡＭ３０３によって構築される記憶部３９を有している。この記憶部３９には、アドレス情報（例えばＩＰアドレス）が記憶されている。
【００８５】
送受信部３１は、図７に示されるＣＰＵ３０１及び通信回路３０４の処理によって実現され、無線通信によって、通信端末５又はゲートウェイ装置７と各種データの送受信を行う。
【００８６】
通信部３７は、図７に示されるＣＰＵ１０１・３０１の処理並びにＩ／Ｆ１０８Ｂ・３０８及びバス１０９・３０９によって実現され、配信制御部２０とのデータ（信号）の通信を行う。
【００８７】
記憶・読出部３８は、記憶部３９に各種データを記憶し、記憶部３９から各種データを読み出す。
【００８８】
＜通信端末＞
次に、通信端末５の機能構成を説明する。図１４に示されるように、通信端末５は、機能又は手段として、受信制御部４０及び無線通信制御部５０を有している。
【００８９】
受信制御部４０は、図４に示されるＲＡＭ４０３によって構築される記憶部４９を有する。記憶部４９には、配信装置３から配信された位置情報を記憶できる。さらに、受信制御部４０は、受信部４１、検知部４２、判断部４３、測定部４４、通信部４７及び記憶・読出部４４８を有する。
【００９０】
このうち受信部４１は、図４に示されるＣＰＵ４０１及び通信回路４０４の処理によって実現され、配信装置３から配信された位置情報を受信する。また、受信部４１は、位置情報を受信可能な状態になったり受信不可能な状態になったりする。
【００９１】
検知部４２は、図４に示されるＣＰＵ４０１及び加速度センサ４０５の処理によって実現され、通信端末５の移動（傾きを含む）を検知し、受信部４１に処理を開始させる。なお、検知部４２は、加速度センサ４０５に代えて、慣性力や磁気を用いたモーションセンサによって実現してもよい。
【００９２】
判断部４３は、図４に示されるＣＰＵ４０１の処理によって実現され、受信部４１によって、少なくとも一つの位置情報を受信したかを判断する。さらに、判断部４３は、受信部４１によって、複数の配信装置３からそれぞれの位置情報を受信したかを判断する。なお、この場合、同じ配信装置３から配信された位置情報は、所定時間内に複数回受信しても一つとして扱う。
【００９３】
測定部４４は、図４に示されるＣＰＵ４０１の処理によって実現され、判断部４３によって、複数の配信装置３から、それぞれの位置情報を受信したと判断された場合には、それぞれの位置情報に係る信号強度を測定する。
【００９４】
通信部４７は、図４に示されるＣＰＵ４０１の処理並びにＩ／Ｆ４０８及びバス４０９によって実現され、無線通信制御部５０とのデータ（信号）の通信を行う。
【００９５】
記憶・読出部４４８は、ＣＰＵ４０１の処理によって実現され、記憶部４９に各種データを記憶し、記憶部４９から各種データを読み出す。記憶・抽出部４８は、例えば、位置情報のデータの記憶や読み出しを行う。
【００９６】
無線通信制御部５０は、図４に示されるＲＡＭ５０３によって構築される記憶部５９を有する。この記憶部５９には、識別情報（例えばＭＡＣアドレス等）が記憶されている。さらに、無線通信制御部５０は、送受信部５１、判断部５３、測定部５４、通信部５７及び記憶・読出部５８を有する。
【００９７】
送受信部５１は、図４に示されるＣＰＵ５０１及び通信回路５０４の処理によって実現され、無線通信により、配信装置３と各種データの送受信を行う。
【００９８】
判断部５３は、図４に示されるＣＰＵ５０１の処理によって実現され、受信部５１によって、少なくとも一つの配信装置３の装置識別情報を受信したかを判断する。さらに、判断部５３は、受信部５１によって、複数の配信装置３からそれぞれの装置識別情報を受信したかを判断する。なお、この場合、同じ配信装置３から送信された装置識別情報は、所定時間内に何度受信しても一つとして扱う。
【００９９】
測定部５４は、図４に示されるＣＰＵ５０１の処理によって実現され、判断部５３によって、複数の配信装置３から送信されたそれぞれの装置識別情報を受信したと判断された場合には、それぞれの装置識別情報に係る信号強度を測定する。
【０１００】
通信部５７は、図４に示されるＣＰＵ５０１の処理並びにＩ／Ｆ５０８及びバス５０９によって実現され、受信制御部４０とのデータ（信号）の通信を行う。
【０１０１】
記憶・読出部５８は、図４に示されるＣＰＵ５０１の処理によって実現され、記憶部５９に各種データを記憶し、記憶部５９から各種データを読み出す。記憶・抽出部５８は、例えば、配信装置３の装置識別情報や通信端末５の識別情報のデータの記憶や読み出しを行う。
【０１０２】
図１５は、本発明の実施形態におけるゲートウェイ装置７及び位置情報管理サーバ９の機能構成の一例を示す図である。
【０１０３】
＜ゲートウェイ装置＞
ゲートウェイ装置７の機能構成を説明する。ゲートウェイ装置７は、機能又は手段として、無線通信制御部７０及び有線通信制御部８０を有している。
【０１０４】
無線通信制御部７０は、図９に示される無線通信部１７の処理によって実現され、基本的に配信装置３の無線通信制御部３０と同様の機能を有している。
【０１０５】
具体的には、無線通信制御部７０は、図９に示されるＲＡＭ７０３によって構築される記憶部７９を有している。この記憶部７９には、ゲートウェイ装置７のアドレス情報（例えばＩＰアドレス）が記憶されている。また、無線通信制御部７０は、送受信部７１、通信部７７及び記憶・読出部７８を有している。
【０１０６】
このうち送受信部７１は、図９に示されるＣＰＵ７０１及び通信回路７０４の処理によって実現され、無線通信によって、配信装置３と各種データの送受信を行う。
【０１０７】
通信部７７は、ＣＰＵ７０１の処理並びにＩ／Ｆ７０８及びバス７０９によって実現され、有線通信制御部８０とのデータ（信号）の通信を行う。
【０１０８】
記憶・読出部７８は、ＣＰＵ８０１の処理によって実現され、記憶部７９に各種データを記憶し、記憶部７９から各種データを読み出す。
【０１０９】
有線通信制御部８０は、図９に示される有線通信部１８の処理によって実現される。この有線通信制御部８０は、図９に示されるＲＡＭ８０３によって構築される記憶部８９を有している。この記憶部８９には、ゲートウェイ装置７の装置識別情報（例えばＭＡＣアドレス）が記憶されている。さらに、有線通信制御部８０は、送受信部８１、変換部８２、通信部８７及び記憶・読出部８８を有している。
【０１１０】
このうち送受信部８１は、図９に示されるＣＰＵ８０１の処理及びＩ／Ｆ８０８ｂによって実現され、有線通信によって、位置情報管理サーバ９と各種データの送受信を行う。
【０１１１】
変換部８２は、図９に示されるＣＰＵ８０１及びイーサネットコントローラ８０５の処理によって実現される。変換部８２は、上述したように通信方式を変換することで、配信装置３から送られて来た各種データ（情報）を、イーサネット（登録商標）のパケット通信ができるように制御する。
【０１１２】
通信部８７は、ＣＰＵ８０１の処理並びにＩ／Ｆ８０８ａ及びバス８０９によって実現され、無線通信制御部７０とのデータ（信号）の通信を行う。
【０１１３】
記憶・読出部９８は、ＣＰＵ８０１の処理によって実現され、記憶部８９に各種データを記憶し、記憶部８９から各種データを読み出す。
【０１１４】
＜位置情報管理サーバ＞
次に、位置情報管理サーバ９の機能構成を説明する。位置情報管理サーバ９は、送受信部９１、操作入力受付部９２、位置情報取得応答部９３、表示制御部９４、記憶・読出部９８及び記憶部９９を有する。
【０１１５】
記憶部９９は図１０に示されるＲＡＭ９０３及びＨＤ９０４によって構築され、位置情報記憶部９９１及びサーバ情報記憶部９９２が含まれる。
【０１１６】
位置情報記憶部９９１は、通信端末５から送信される位置情報等を記憶する。
【０１１７】
図１６は、本発明の実施形態における位置情報管理サーバ９の位置情報記憶部９９１に記憶される情報の一例を示す図である。図１６に示されるように、位置情報記憶部９９１には「管理ＩＤ」、「識別情報」、「緯度」、「経度」、「階数」、「棟番号」及び「受信日時」等が含まれる。「管理ＩＤ」は位置情報記憶部９９１において通信端末５の位置情報を一意に識別するための管理番号である。「識別情報」は通信端末５を識別するための情報であり、例えば通信端末５のＭＡＣアドレスである。「識別情報」は通信端末５から送信される。「緯度」、「経度」、「階数」及び「棟番号」は、本発明の実施形態における位置情報であり、図８に示される情報である。なお、「棟番号」は、建物を一意に識別するように付与される。「受信日時」は、位置情報管理サーバ９がゲートウェイ装置７から位置情報を受信した受信日時である。
【０１１８】
図１５に戻り説明する。サーバ情報記憶部９９２は、位置情報管理サーバ９のアドレス情報（例えばＩＰアドレス）や識別情報（例えばＭＡＣアドレス）等が記憶されている。
【０１１９】
送受信部９１は、図１０に示されるＣＰＵ９０１の処理並びにネットワークＩ／Ｆ９０９又は通信回路９１５によって実現され、有線通信又は無線通信によって、ゲートウェイ装置７又はコンテンツ管理サーバ８と各種データの送受信を行う。
【０１２０】
操作入力受付部９２は、図１０に示されるＣＰＵ９０１の処理並びにキーボード９１１及びマウス９１２によって実現され、管理者から各種の選択又は入力を受け付ける。
【０１２１】
位置情報取得応答部９３は、コンテンツ管理サーバ８から送信される通信端末５の位置情報を取得するための通信端末位置情報取得要求を受け付け、応答する。通信端末位置情報取得要求には、建物の位置を示す「棟番号」が含まれており、位置情報取得応答部９３は位置情報記憶部９９１からその「棟番号」を含む位置情報を有する通信端末５の識別情報、位置情報（緯度、経度、階数、棟番号）及び受信日時を取得する。そして、位置情報取得応答部９３は、通信端末５の位置情報を含む通信端末位置情報取得要求応答を生成し、送受信部９１を介しコンテンツ管理サーバ８に送信する。
【０１２２】
表示制御部９４は、図１０に示されるＣＰＵ９０１の処理によって実現され、ディスプレイ９０８に各種画像や文字等を表示させるための制御を行う。
【０１２３】
記憶・読出部９８は、図１０に示されるＣＰＵ９０１の処理によって実現され、記憶部９９に各種データを記憶し、記憶部９９から各種データを読み出す。
【０１２４】
図１７は、本発明の実施形態におけるコンテンツ管理サーバ８及び表示装置６の機能構成の一例を示す図である。
【０１２５】
＜コンテンツ管理サーバ＞
コンテンツ管理サーバ８の機能構成を説明する。コンテンツ管理サーバ８は、送受信部８４１、位置情報履歴作成部８４２、位置情報履歴取得８４３、位置情報監視部８４４、同行者判定部８４５、コンテンツ選択部８４６、コンテンツ配信部８４７、記憶・読出部８４８及び記憶部８４９を有する。記憶部８４９には、位置情報履歴記憶部８４９１、配信場所記憶部８４９２、通信端末所有者情報記憶部８４９３、店舗情報記憶部８４９４及びコンテンツデータ記憶部８４９５等が含まれる。
【０１２６】
位置情報履歴記憶部８４９１は、通信端末５の識別情報毎に通信端末５の現在及び過去の位置情報が時系列に記憶される。
【０１２７】
図１８は、本発明の実施形態におけるコンテンツ管理サーバ８の位置情報履歴記憶部８４９１に記憶される情報の一例を示す図である。図１８（ａ）は通信端末５が取り付けられたユーザ所有物４を所持するユーザＡの位置情報履歴の構成例である。位置情報履歴記憶部８４９１には、「識別情報」、「履歴ＩＤ」、「緯度」、「経度」、「階数」、「棟番号」及び「受信日時」等の項目が含まれる。図１８（ｂ）は通信端末５が取り付けられたユーザ所有物４を所持するユーザＢの位置情報履歴の構成例である。このように、位置情報履歴記憶部８４９１には、通信端末５の識別情報毎、すなわちユーザ所有物４を所持するユーザ毎に位置情報が記憶される。「通信端末識別情報」は、通信端末５を一意に識別する情報であって、例えばＭＡＣアドレス等である。「受信日時」は、位置情報記憶部９９１（図１６参照）に記憶される「受信日時」と同様に、位置情報管理サーバ９が識別情報及び位置情報を受信した年月日時分秒を示す情報である。「履歴ＩＤ」は「受信日時」毎に、位置情報履歴記憶部８４９１において一意に履歴を識別する番号である。なお、位置情報履歴作成部８４２は、所定の周期（例えば６０秒周期）が満了する毎に位置情報管理サーバ９から位置情報を取得し、位置情報履歴記憶部８４９１に記憶される位置情報履歴を更新する。
【０１２８】
図１７に示される配信場所記憶部８４９２は、配信場所に対応する位置情報等を記憶する。
【０１２９】
図１９は、本発明の実施形態におけるコンテンツ管理サーバ８の配信場所記憶部８４９２に記憶される情報の一例を示す図である。図１９に示されるように、配信場所記憶部８４９２には、「配信場所ＩＤ」、「棟」、「階数」、「緯度」、「経度」及び「近傍表示装置ＩＰアドレス」等が含まれる。「配信場所ＩＤ」は、配信場所を識別する番号であり、配信場所記憶部８４９２において一意に割り当てられる番号である。「棟番号」、「階数」、「緯度」、「経度」は、配信場所を示す位置情報である。なお、配信場所は、点を含む領域として位置が定義される。図１９の例では、各配信場所を点として表しているが、複数の位置情報を用いて例えば矩形として表してもよい。「近傍表示装置ＩＰアドレス」は、各配信場所に最も近くに位置する表示装置６のＩＰアドレスである。コンテンツ管理サーバ８は、コンテンツを「近傍表示装置ＩＰアドレス」に送信する。なお、コンテンツの宛先アドレスは、表示装置６のＩＰアドレスに限らず、例えば表示装置６毎に付与する電子メールアドレス等であってもよい。なお、配信場所記憶部８４９２に記憶される情報は、予め、情報提供システム１の管理者等によって設定され、配信場所の追加、削除及び変更に伴い変更可能な情報である。
【０１３０】
図１７に示される通信端末所有者情報記憶部８４９３は、通信端末５とその通信端末５が取り付けられたユーザ所有物４を所持するユーザ及びユーザ属性とを対応付けて記憶する。
【０１３１】
図２０は、本発明の実施形態におけるコンテンツ管理サーバ８の通信端末所有者情報記憶部８４９３に記憶される情報の一例を示す図である。図２０に示されるように、通信端末所有者情報記憶部８４９３には、「通信端末ＩＤ」、「通信端末識別情報」、「所有者名」、「性別」、「年代」、「居住地」、「職業」、「趣味」等が記憶されている。「通信端末ＩＤ」は、通信端末所有者情報記憶部８４９３において通信端末５を一意に識別するための番号である。「通信端末識別情報」は、通信端末５を一意に識別するための識別情報である。「通信端末識別情報」は、例えばＭＡＣアドレス等である。「所有者名」は、通信端末５が取り付けられたユーザ所有物４を所持するユーザの名称である。「性別」、「年代」、「居住地」、「職業」及び「趣味」は、ユーザの属性を示すユーザ属性である。なお、「通信端末識別情報」及び「所有者名」は、予め管理者等により設定される。また、ユーザ属性を示す情報は、例えば図２１に示すユーザ属性情報を入力する画面を用いて予めユーザによって入力される。図２１は、本発明の実施形態におけるユーザ属性を入力する画面の一例を示す図である。ユーザ属性を入力する画面は、例えばＨＴＭＬ（Hyper  Text  Markup  Language）により記述される一般的なｗｅｂサイトである。ユーザ属性を入力する画面には、図２１に示されるように、例えば氏名、生年月日、性別、居住地、職業及び趣味等の入力フォームと送信ボタンとキャンセルボタンとが表示される。ユーザによって入力フォームへのユーザ属性の入力後、送信ボタンが押下されると、コンテンツ管理サーバ８に入力したユーザ属性が送信され、通信端末所有者情報記憶部８４９３に記憶される。なお、ユーザ属性入力画面を記述する言語は、例えばＤＨＴＭＬ（Dynamic HTML）、ＸＭＬ（Extensible Markup Language）等であってもよい。また、ユーザ属性情報の入力方法は、ｗｅｂサイトの形式に限らず、例えばユーザ属性情報の入力用アプリケーションをユーザ所有物４である携帯端末にインストールし、このアプリケーションを用いてもよい。
【０１３２】
図１７に示される店舗情報記憶部８４９４は、本発明の実施形態においてユーザが進入する建物（例えば商業施設等）内の店舗の領域を示す位置情報が記憶される。本発明の実施形態では、店舗情報記憶部８４９４に記憶される店舗の位置情報と、位置情報履歴の現在又は過去のユーザ（通信端末５）の位置情報とに基づき特定された過去に訪れた店舗に関するコンテンツが選択される。店舗の領域とは、緯度・経度により表される三つ以上の線分に囲まれた店舗の敷地を示す範囲であり、入居する建物（商業施設等）の棟及び階数によっても表される。
【０１３３】
図２２は、本発明の実施形態において店舗情報記憶部８４９４に記憶される情報の一例を示す図である。図２２に示されるように、店舗情報記憶部８４９４には、「店舗ＩＤ」、「店舗名」、「棟」、「階数」、「東端」、「西端」、「南端」、「北端」及び「店舗属性」等の項目が含まれる。「店舗ＩＤ」は、店舗を識別する番号であり、店舗情報記憶部８４９４において一意に割り当てられる番号である。「店舗名」は、店舗の名称であり、任意に設定可能である。「店舗属性」は、店舗の属する業種又は店舗が扱う商品やサービス等によって分類されるカテゴリーである。「店舗属性」は、例えば「衣料品」、「飲食店」、「書店」、「食料品」、「映画館」、「装飾品」、「靴」、「眼鏡」等である。なお、「店舗属性」の分類は任意であり、例えば、商品の価格帯等の要素によって、さらに細かく分類してもよい。「東端」及び「西端」は、店舗の領域の東側と西側との境界線を、経度（東経）で表したものである。「南端」及び「北端」は、店舗の領域の南側と北側との境界線を、緯度（北緯）で表したものである。すなわち、店舗の領域は、矩形で定義される。図２３は、本発明の実施形態における位置情報により店舗の領域を定義する方法の一例を示す概要図である。図２３に示されるように、店舗名が「横浜Ａ店」である店舗の領域は、
東端：１３９．６２１０１
西端：１３９．６２００３
南端：３５．５０５４０
北端：３５．５０４５０
の四つの線分によって囲まれた範囲である。なお、本発明の実施形態においては、店舗の領域を緯度・経度による四つの線分に囲まれた領域として定義したが、この定義の方法に限らず、例えば、複数の緯度・経度を用いて、三つ以上の線分で囲まれた多角形等によって、店舗の領域を定義してもよい。なお、ある建物の棟・階に対応するフロアにおいて、店舗の領域に含まれない位置を通路と定義してもよい。これにより、位置情報履歴記憶部８４９１と店舗情報記憶部８４９４とに記憶される情報を用いて、ユーザ（通信端末５）が店舗の領域内に位置するのか又は通路に位置するのかを特定することができる。
【０１３４】
図１７に示されるコンテンツデータ記憶部８４９５は、配信するコンテンツ等を記憶する。
【０１３５】
図２４は、本発明の実施形態におけるコンテンツ管理サーバ８のコンテンツデータ記憶部８４９５に記憶される情報の一例を示す図である。図２４に示されるように、コンテンツデータ記憶部８４９５には、「コンテンツＩＤ」、「ユーザ属性１」、「ユーザ属性２」、「ユーザ属性３」、「ユーザ属性４」、「店舗属性」及び「コンテンツ名」等が記憶される。「コンテンツＩＤ」は、コンテンツデータ記憶部８４９５においてコンテンツを一意に識別するための番号である。「ユーザ属性１」、「ユーザ属性２」、「ユーザ属性３」、「ユーザ属性４」は、コンテンツ毎に対応付けられたユーザの属性を示す情報である。図２４の例では、「ユーザ属性１」及び「ユーザ属性３」にはそれぞれ性別及び年代を示すユーザ属性、「ユーザ属性２」及び「ユーザ属性４」にはそれぞれ同行者の性別及び年代を示すユーザ属性が記憶されている。「店舗属性」は、店舗の属する業種又は店舗が扱う商品やサービス等によって分類されるカテゴリーである。「コンテンツ名」は、配信するコンテンツの名称である。例えばユーザに同行者がいる場合、ユーザ及び同行者の性別がそれぞれ男性及び女性であり、年代が両者ともに１０代である場合、コンテンツＩＤ「１」に対応する「コンテンツＡ．ｍｐ４」が配信されるコンテンツである。また、ユーザに同行者がいない場合であって、そのユーザの過去に所定の回数以上訪れた店舗が書店である場合、コンテンツＩＤ「１００１」に対応する「コンテンツＦ．ｊｐｇ」が配信されるコンテンツである。なお、コンテンツの内容は、ユーザ属性の組合せや店舗属性毎に予め指定した店舗、商品及びサービス等に関するものである。また、コンテンツは、例えば静止画（ＪＰＥＧ（Joint   Photographic  Experts  Group）等）や動画（ＭＰ４（Moving  Picture  Experts  Group-４）等）、文字コードのみからなるテキスト形式、ＨＴＭＬ形式等のファイルである。
【０１３６】
図１７に戻り説明する。
【０１３７】
記憶・読出部８４８は、ＣＰＵ８２１の処理によって実現され、記憶部８４９に各種データを記憶し、記憶部８４９から各種データを読み出す。
【０１３８】
送受信部８４１は、ＣＰＵ８２１の処理並びにネットワークＩ／Ｆ８２９又は通信回路８３５によって実現され、有線通信又は無線通信によって、表示装置６又は位置情報管理サーバ９と各種データの送受信を行う。
【０１３９】
位置情報履歴作成部８４２は、位置情報履歴記憶部８４９１に位置情報履歴の作成、更新を行う。具体的には、位置情報履歴作成部８４２は、所定の周期（例えば６０秒周期）が満了する毎に、位置情報履歴の作成又は更新対象である建物の位置情報である「棟番号」を、位置情報取得部８４３に通知し、その「棟番号」を有する位置情報を取得させる。位置情報履歴作成部８４２は、位置情報取得部８４３を介して取得した通信端末５の位置情報を位置情報履歴記憶部８４９１に、通信端末５の識別情報毎に記憶する。
【０１４０】
位置情報取得部８４３は、位置情報履歴作成部８４２からの位置情報の取得の命令に基づき、位置情報管理サーバ９から通信端末５の位置情報を取得する。具体的には、位置情報取得部８４３は、位置情報履歴作成部８４２から「棟番号」を含む位置情報の取得命令を受け付けると、「棟番号」を含む位置情報取得要求信号を生成し、送受信部８４１を介して、位置情報管理サーバ９に生成した信号を送信する。そして、位置情報取得部８４３は、通信端末５の位置情報を含む位置情報取得要求応答を受信すると、位置情報履歴作成部８４２に通知する。
【０１４１】
位置情報監視部８４４は、位置情報履歴記憶部８４９１を参照し、位置情報履歴の位置情報が配信場所記憶部８４９２に記憶される配信場所の位置情報に含まれているか否かを監視する。そして、位置情報監視部８４４は、配信場所の位置情報に含まれている位置情報履歴の位置情報を検出すると、検出した位置情報に対応する通信端末５の識別情報を同行者判定部８４５に通知する。
【０１４２】
同行者判定部８４５は、配信場所に位置する通信端末５の識別情報が通知されると、位置情報履歴記憶部８４９１から通知された通信端末５が取り付けられたユーザ所有物４を所持するユーザの同行者の有無を判定する。具体的には、同行者判定部８４５は、位置情報履歴記憶部８４９１に記憶された通知された通信端末５の識別情報に対応する位置情報履歴を参照する。次に、同行者判定部８４５は、参照した位置情報履歴に基づき、現在時刻から遡った過去の所定数（例えば、過去１０回）の位置情報と受信日時とを抽出する。そして、同行者判定部８４５は、位置情報履歴記憶部８４９１の中から、抽出した受信日時に近い受信日時である他の通信端末５の位置情報が、抽出した位置情報と一致又は近いか否かを判定する。同行者判定部８４５は、位置情報履歴記憶部８４９１において、抽出した例えば過去１０回分の位置情報がそれぞれ一致又は近いと判定された他の通信端末５の位置情報が存在する場合、その他の通信端末５を所持するユーザが同行者であると判定する。なお、「抽出した受信日時に近い受信日時」とは、例えば所定の誤差（±３０秒以内）の範囲内の受信日時である。また、「抽出した位置情報と一致又は近い」位置情報とは、抽出した位置情報に緯度及び経度が一致する位置情報と、抽出した位置情報を中心に所定の範囲（例えば半径１０メートル以内）の位置情報とを含む位置情報である。このようにして、同行者判定部８４５は、ある通信端末５を中心とした所定の範囲に、所定の時間位置する他の通信端末５を同行者と判定する。同行者判定部８４５は、通信端末５及び同行者がいる場合の同行者の通信端末５の識別情報を含む同行者の有無の判定結果を、コンテンツ選択部８４６に通知する。
【０１４３】
コンテンツ選択部８４６は、同行者判定部から通知された同行者有無の判定結果に基づき、配信するコンテンツを選択する。
【０１４４】
具体的には、コンテンツ選択部８４６は、判定結果が同行者有りの場合、通信端末所有者情報記憶部８４９３から同行者を含む通信端末５の識別情報を有するユーザのユーザ属性を読み出す。次に、コンテンツ選択部８４６は、コンテンツデータ記憶部８４９５から読み出したユーザ属性に基づくコンテンツを選択する。そして、コンテンツ選択部８４６は、選択したコンテンツをコンテンツ配信部８４７に通知する。
【０１４５】
一方、判定結果が同行者無しの場合、コンテンツ選択部８４６は、位置情報履歴記憶部８４９１及び店舗情報記憶部８４９４から通信端末５の現在又は過去の移動経路に含まれる店舗属性を特定する。次に、コンテンツ選択部８４６は、特定した店舗属性のうち最多の店舗属性に対応するコンテンツを、コンテンツデータ記憶部８４９５から読み出す。そして、コンテンツ選択部８４６は、選択したコンテンツをコンテンツ配信部８４７に通知する。
【０１４６】
コンテンツ配信部８４７は、コンテンツ選択部８４６から通知されたコンテンツを、配信場所の近傍の表示装置６に配信する。具体的には、コンテンツ配信部８４７は、配信場所記憶部８４９２から配信場所に対応する近傍の表示装置６のＩＰアドレスを読み出す。そして、コンテンツ配信部８４７は、読み出したＩＰアドレスを宛先アドレスとして、送受信部８４１を介しネットワーク８９３により、表示装置６にコンテンツを送信する。なお、送信するコンテンツは、コンテンツのファイル本体であってもよいし、コンテンツが保存されているアドレスであってもよい。
【０１４７】
＜表示装置＞
次に、表示装置６の機能構成を図１７により説明する。
【０１４８】
表示装置６は、送受信部６１、表示制御部６２、コンテンツ受信部６３、記憶・読出部６８及び記憶部６９を有する。
【０１４９】
記憶部６９は、表示装置６の識別情報（例えばＭＡＣアドレス）やアドレス情報（例えばＩＰアドレス）、コンテンツ管理サーバ８から配信されるコンテンツ等を記憶する。
【０１５０】
記憶・読出部６８は、図１２に示されるＣＰＵ６０１の処理によって実現され、記憶部６９に各種データを記憶し、記憶部６９から各種データを読み出す。
【０１５１】
送受信部６１は、ＣＰＵ６０１の処理並びに無線ＬＡＮ通信部６０６によって実現され、無線通信によって、コンテンツ管理サーバ８と各種データの送受信を行う。なお、送受信部６１は、表示装置６がイーサネットカードを備え、ネットワーク８９３が有線ＬＡＮである場合はイーサネット（登録商標）によりデータの送受信を行う。
【０１５２】
表示制御部６２は、図１２に示されるＣＰＵ６０１の処理によって実現され、ディスプレイ６９７に各種画像や文字等を表示させるための制御を行う。本発明の実施形態において、受信したコンテンツを表示出力する。
【０１５３】
コンテンツ受信部６３は、コンテンツ管理サーバ８から送信されるコンテンツを受信し、受信したコンテンツを記憶部６９に記憶するとともに、表示制御部６２にコンテンツの受信を通知する。
【０１５４】
[動作手順]
本発明の実施形態におけるコンテンツ提供システム１の動作手順を説明する。コンテンツ提供システム１の動作は、通信端末５の位置情報を位置情報管理サーバ９が管理するための位置情報管理動作と、コンテンツ管理サーバ８で位置情報履歴データを作成・更新する位置情報履歴作成動作と、コンテンツ管理サーバ８から表示装置６にコンテンツを配信するコンテンツ配信制御動作とに大別される。
【０１５５】
〔位置情報管理動作〕
図２５は、本発明の実施形態におけるコンテンツ提供システム１が通信端末５の位置情報を管理する動作手順の一例を示すシーケンス図である。通信端末５はユーザ所有物４に取り付けられている。これにより、コンテンツ提供システム１は、ユーザ所有物４を所持するユーザの位置情報を管理できる。
【０１５６】
Ｓ１１：配信装置３の配信制御部２０は、記憶部２９から取得した位置情報をＩＭＥＳ等により連続的又は断続的に送信する。
【０１５７】
Ｓ１２：通信端末５の受信制御部４０は、周期的（例えば６０秒周期）に行われる位置情報の受信処理により、配信装置３から送信される位置情報を受信する。なお、通信端末５が加速度センサを備えている場合は、加速度の変化の検知を契機に位置情報を受信してもよい。
【０１５８】
Ｓ１３：受信制御部４０は、受信した位置情報を記憶部４９に記憶する。
【０１５９】
Ｓ１４：通信端末５の無線通信制御部５０は、記憶部５９から取得した識別情報（例えば通信端末５のＭＡＣアドレス）と記憶部４９に記憶した位置情報とを含む位置情報更新要求を配信装置３に送信する。位置情報更新要求は、位置情報管理サーバ９により管理される通信端末５の位置情報を新規登録又は更新するための要求である。
【０１６０】
Ｓ１５：配信装置３の無線通信制御部３０の送受信部３１は、位置情報更新要求をＩＥＥＥ８０２．１５．４規格に準拠した通信方式を用いてゲートウェイ装置７に転送する。
【０１６１】
Ｓ１６：ゲートウェイ装置７の無線通信制御部７０の送受信部７１が配信装置３から送信された位置情報更新要求を受信すると、有線通信制御部８０の変換部８２は、ＩＥＥＥ８０２．１５．４規格に準拠した通信方式を、ネットワーク８９２に適合するＩＥＥＥ８０２．３規格に準拠した通信方式に変換する。
【０１６２】
Ｓ１７：有線通信制御部８０の送受信部８１は、位置情報管理サーバ９に位置情報更新要求を転送する。位置情報管理サーバ９の送受信部９１は、ゲートウェイ装置７からの位置情報更新要求を受信する。
【０１６３】
Ｓ１８：位置情報管理サーバ９の記憶・読出部９８は、記憶部９９に予め記憶されている通信端末５の識別情報と、受信した位置情報更新要求に含まれる識別情報とを対応付け、位置情報記憶部９９１に通信端末５の位置情報を記憶する。
【０１６４】
なお、上述したステップＳ１１〜Ｓ１８の通信端末５の位置情報の管理動作は、次に説明する位置情報履歴作成動作及びコンテンツ配信制御動作とは独立して実行される。
【０１６５】
以上の動作手順により、本発明の実施形態のコンテンツ提供システム１は、位置情報管理サーバ９により通信端末５の位置情報を管理できる。また、ユーザ所有物４には通信端末５が外部に取り付けられたり内蔵されたりしているため、通信端末５の位置情報を管理することにより、ユーザ所有物４を所持するユーザの位置情報を管理できる。
【０１６６】
〔位置情報履歴作成動作〕
図２６は、本発明の実施形態におけるコンテンツ提供システム１が位置情報履歴を作成・更新する動作手順の一例を示すシーケンス図である。
【０１６７】
Ｓ２１：コンテンツ管理サーバ８の位置情報履歴作成部８４２は、所定の周期（例えば６０秒）の満了を検出する。ここで、所定の周期とは、位置情報履歴の作成・更新を実行する周期である。そして、コンテンツ管理サーバ８は、所定の周期の満了を検出すると、位置情報履歴を作成する対象の建物を示す位置情報である「棟番号」を位置情報取得部８４３に通知する。
【０１６８】
Ｓ２２：位置情報取得部８４３は、「棟番号」を含む通信端末位置情報取得要求を生成し、送受信部８４１を介してコンテンツ管理サーバ８に通信端末位置情報取得要求を送信する。
【０１６９】
位置情報管理サーバ９の位置情報取得応答部９３は、送受信部９１を介して、コンテンツ管理サーバ８からの通信端末位置情報取得要求を受け付ける。
【０１７０】
Ｓ２３：位置情報取得応答部９３は、通信端末位置情報取得要求に含まれる「棟番号」に基づき、位置情報記憶部９９１から「棟番号」を含む通信端末５の識別情報及びを読み出す。
【０１７１】
Ｓ２４：位置情報取得応答部９３は、通信端末５の識別情報及び位置情報を含む通信端末位置情報取得要求応答を生成し、送受信部９１を介しコンテンツ管理サーバ８に送信する。
【０１７２】
コンテンツ管理サーバ８の位置情報取得部８４３は、送受信部８４１を介して受信した通信端末５の識別情報及び位置情報を位置情報履歴作成部８４２に通知する。
【０１７３】
Ｓ２５：位置情報履歴作成部８４３は、受信した通信端末５の識別情報及び位置情報を、位置情報履歴記憶部８４９１に記憶し、位置情報履歴を作成する。なお、すでに位置情報履歴記憶部８４９１に位置情報履歴が存在する通信端末５の識別情報については、位置情報履歴の更新となる。
【０１７４】
Ｓ２６：コンテンツ管理サーバ８の位置情報履歴作成部８４２は、所定の周期（例えば６０秒）の満了を検出する。なお、ステップＳ２６における所定の周期は、ステップＳ２１の所定の周期と同じである。そして、コンテンツ管理サーバ８は、所定の周期の満了を検出すると、位置情報履歴を作成する対象の建物を示す位置情報である「棟番号」を位置情報取得部８４３に通知する。
【０１７５】
Ｓ２７：位置情報取得部８４３は、「棟番号」を含む通信端末位置情報取得要求を生成し、送受信部８４１を介してコンテンツ管理サーバ８に通信端末位置情報取得要求を送信する。
【０１７６】
位置情報管理サーバ９の位置情報取得応答部９３は、送受信部９１を介して、コンテンツ管理サーバ８からの通信端末位置情報取得要求を受け付ける。
【０１７７】
Ｓ２８：位置情報取得応答部９３は、通信端末位置情報取得要求に含まれる「棟番号」に基づき、位置情報記憶部９９１から「棟番号」を含む通信端末５の識別情報及びを読み出す。
【０１７８】
Ｓ２９：位置情報取得応答部９３は、通信端末５の識別情報及び位置情報を含む通信端末位置情報取得要求応答を生成し、送受信部９１を介しコンテンツ管理サーバ８に送信する。
【０１７９】
コンテンツ管理サーバ８の位置情報取得部８４３は、送受信部８４１を介して受信した通信端末５の識別情報及び位置情報を位置情報履歴作成部８４２に通知する。
【０１８０】
Ｓ３０：位置情報履歴作成部８４３は、受信した通信端末５の識別情報及び位置情報を、位置情報履歴記憶部８４９１に記憶し、位置情報履歴を更新する。なお、位置情報履歴の更新は、位置情報履歴に、更新対象の位置情報を追加する。
【０１８１】
以上の動作手順により、本発明の実施形態のコンテンツ提供システム１は、通信端末５の位置情報履歴を作成し、更新できる。これにより、通信端末５が取り付けられたユーザ所有物４を所持するユーザの現在及び過去の移動経路を特定できる。
【０１８２】
〔コンテンツ配信制御動作〕
図２７は、本発明の実施形態におけるコンテンツ提供システム１が位置情報履歴に基づきコンテンツを選択し配信する動作手順の一例を示すシーケンス図である。図２７の例の初期状態では、通信端末５の位置情報履歴が位置情報履歴記憶部８４９１に記憶され、周期的に更新されている。
【０１８３】
Ｓ３１：コンテンツ管理サーバ８の位置情報監視部８４４は、一定の周期（例えば６０秒周期）で、位置情報履歴記憶部８４９１を参照し、位置情報履歴の位置情報が配信場所記憶部８４９２に記憶される配信場所の位置情報に含まれているか否かを監視する。
【０１８４】
Ｓ３２：位置情報監視部８４４は、配信場所の位置情報に含まれている位置情報履歴の位置情報を検出する。そして、位置情報監視部８４４は、検出した位置情報に対応する通信端末５の識別情報を同行者判定部８４５に通知する。
【０１８５】
Ｓ３３：同行者判定部８４５は、配信場所に位置する通信端末５の識別情報が通知されると、位置情報履歴記憶部８４９１から通知された通信端末５が取り付けられたユーザ所有物４を所持するユーザの同行者の有無を判定する。そして、同行者判定部８４５は、通信端末５及び同行者がいる場合の同行者の通信端末５の識別情報を含む同行者の有無の判定結果を、コンテンツ選択部８４６に通知する。
【０１８６】
Ｓ３４：コンテンツ選択部８４６は同行者判定部から通知された同行者有無の判定結果に基づき、コンテンツデータ記憶部８４９５から配信するコンテンツを選択する。そして、コンテンツ選択部８４６は、選択したコンテンツをコンテンツ配信部８４７に通知する。
【０１８７】
Ｓ３５：コンテンツ配信部８４７は、ステップＳ３２で通信端末５の位置情報が検出された配信場所の近傍に位置する表示装置６のＩＰアドレスを配信場所記憶部８４９２から読み出し、読み出したＩＰアドレスに選択されたコンテンツを配信する。
【０１８８】
表示装置６のコンテンツ受信部６３が、コンテンツ管理サーバ８から配信されたコンテンツを受信し、受信したコンテンツを記憶部６９に記憶するとともに、表示制御部６２にコンテンツの受信を通知する。
【０１８９】
Ｓ３６：表示制御部６２は、配信されたコンテンツを記憶部６９から読み出し、ディスプレイ６０７（図１２）に表示させる。
【０１９０】
以上の動作手順により、本発明の実施形態におけるコンテンツ提供システム１は、コンテンツ管理サーバ８により位置情報履歴からユーザの同行者の有無を判定させ、その判定結果に基づく最適なコンテンツを選択、配信させ、表示装置６に表示できる。
【０１９１】
[フローチャート]
〔位置情報履歴作成〕
図２８は、本発明の実施形態におけるコンテンツ管理サーバ８による位置情報履歴の作成・更新処理手順の一例を示すフローチャート図である。
【０１９２】
まず、コンテンツ管理サーバ８の位置情報履歴作成部８４２は、所定の周期（例えば６０秒）の満了を判定する（Ｓ１０１）。ここで、所定の周期が満了していない場合（ステップＳ１０１においてＮＯ）、位置情報履歴作成部８４２は所定の周期が満了するまで待機する。一方、所定の周期が満了した場合（ステップＳ１０１においてＹＥＳ）、位置情報履歴作成部８４２は、位置情報履歴作成・更新対象の建物の「棟番号」を抽出する（Ｓ１０２）。なお、位置情報履歴作成・更新対象の建物の「棟番号」は、予めＲＯＭ９０２やＨＤ９０４等に記憶されている。
【０１９３】
次に、位置情報取得部８４３は、抽出された「棟番号」を含む通信端末位置情報取得要求を、位置情報管理サーバ９に送信し、「棟番号」の位置情報を含む通信端末５の識別情報及び位置情報を取得する（Ｓ１０３）。
【０１９４】
そして、位置情報履歴作成部８４２は、取得した通信端末５の識別情報毎に、位置情報履歴記憶部８４９１に位置情報履歴を作成する（Ｓ１０４）。
【０１９５】
位置情報履歴作成部８４２は、所定の周期の満了を判定する（Ｓ１０５）。ここで、所定の周期が満了していない場合（ステップＳ１０４においてＮＯ）、位置情報履歴作成部８４２は所定の周期が満了するまで待機する。一方、所定の周期が満了した場合（ステップＳ１０５においてＹＥＳ）、位置情報履歴作成部８４２は、位置情報履歴作成・更新対象の建物の「棟番号」を抽出する（Ｓ１０６）。
【０１９６】
次に、位置情報取得部８４３は、抽出された「棟番号」を含む通信端末位置情報取得要求を、位置情報管理サーバ９に送信し、「棟番号」の位置情報を含む通信端末５の識別情報及び位置情報を取得する（Ｓ１０７）。
【０１９７】
そして、位置情報履歴作成部８４２は、位置情報履歴記憶部８４９１に記憶される、取得した通信端末５の識別情報の位置情報履歴を更新する（Ｓ１０８）。
【０１９８】
位置情報履歴作成部８４２は、管理者等による位置情報履歴の更新を停止させる命令を受け付けた場合（Ｓ１０９においてＹＥＳ）、位置情報履歴作成・更新の処理を停止し終了する。一方、位置情報履歴の更新を停止させる命令を受け付けていない場合（Ｓ１０９においてＮＯ）、位置情報履歴の更新処理であるステップＳ１０５〜Ｓ１０８が繰り返し実行される。
【０１９９】
上述した処理手順により、本発明の実施形態のコンテンツ提供システム１は、通信端末５の位置情報履歴を更新し、現在及び過去の通信端末５の位置情報を管理できる。なお、位置情報には、通信端末５の緯度・経度並びに建物の棟及び階数が含まれるため、通信端末５の位置は、二次元の平面上の位置に加え、建物の階数までをも細かく特定できる。
【０２００】
〔コンテンツ配信制御〕
図２９は、本発明の実施形態におけるコンテンツ管理サーバ８によるコンテンツの配信制御の処理手順の一例を示すフローチャート図である。
【０２０１】
まず位置情報監視部８４４は、位置情報履歴記憶部８４９１を参照し、位置情報履歴の位置情報が配信場所記憶部８４９２に記憶される配信場所の位置情報に含まれているか否かを監視する（Ｓ２０１）。なお、この監視は、例えば６０秒間隔で行われる。
【０２０２】
位置情報監視部８４４は、監視において配信場所に位置するユーザの通信端末５の有無を判定する（Ｓ２０２）。具体的に、位置情報監視部８４４は、配信場所記憶部８４９２に記憶される配信場所の位置情報（棟番号、階数、緯度、経度）が、位置情報履歴記憶部８４９１に記憶される通信端末５の最新の受信日時の位置情報と一致するか否かを判定する。
【０２０３】
ここで、配信場所に位置するユーザの通信端末５がない場合（ステップＳ２０２においてＮＯ）、位置情報監視部８４４は継続して位置情報を監視する（Ｓ２０１）。
【０２０４】
一方、配信場所に位置するユーザの通信端末５がある場合（ステップＳ２０２においてＹＥＳ）、ユーザの同行者の有無が判定される（Ｓ２０３）。なお、ユーザ同行者の有無の判定処理は、後述する図３０を用いて詳細に説明する。
【０２０５】
ここで、ユーザに同行者がいると判定された場合（ステップＳ２０３においてＹＥＳ）、コンテンツ選択部８４６は、ユーザ及び同行者の通信端末５の識別情報に基づき、通信端末所有者情報記憶部８４９３からユーザ属性を読み出す（Ｓ２０４）。次に、コンテンツ選択部８４６は、読み出したユーザ属性に基づき、コンテンツデータ記憶部８４９５からコンテンツを選択する（Ｓ２０５）。具体例を示すと、ユーザの性別が「男」、年代が「１０代」であり、同行者の性別が「女」、年代が「２０代」であれば、図２４の例では、コンテンツＩＤ「５」に対応するコンテンツ名「コンテンツＥ．ｊｐｇ」が選択される。
【０２０６】
一方、ユーザに同行者がいないと判定された場合（ステップＳ２０３においてＮＯ）、コンテンツ選択部８４６は、位置情報履歴記憶部８４９１からユーザが過去に遡って訪れた所定の件数の店舗の店舗属性を読み出す（Ｓ２０８）。具体的に、コンテンツ選択部８４６は、位置情報履歴記憶部８４９１に記憶された情報の中からユーザの通信端末５の識別情報に対応する位置情報履歴を参照する。次いで、位置情報履歴記憶部８４９１に記憶される位置情報が、店舗情報記憶部８４９４に記憶される位置情報によって定義される店舗の領域内に含まれる場合、店舗属性を抽出する。そして、抽出された店舗属性が所定の件数（例えば１０件）に到達するまで、店舗属性の抽出が行われる。その後、コンテンツ選択部８４６は、抽出した所定の件数の店舗属性のうち最多の店舗属性を特定する（Ｓ２０９）。そして、コンテンツ選択部８４６は、特定した最多の店舗属性に対応するコンテンツを、コンテンツデータ記憶部８４９５から選択する。
【０２０７】
コンテンツが選択されると（ステップＳ２０５又はＳ２１０の終了後）、コンテンツ配信部８４７は、ユーザが位置する配信場所の近傍の表示装置６のアドレス情報（例えばＩＰアドレス）を、配信場所記憶部８４９２から読み出す（Ｓ２０６）。そして、コンテンツ配信部８４７は、読み出した表示装置６のＩＰアドレスを宛先アドレスとして、選択したコンテンツを配信する（Ｓ２０７）。
【０２０８】
上述した処理手順により、コンテンツ管理サーバ８は、位置情報履歴を用いてユーザの同行者の有無に基づく最適なコンテンツを選択し配信できる。
【０２０９】
次に、図２９に示すステップＳ２０３におけるユーザの同行者有無判定の処理手順を図３０に基づき説明する。
【０２１０】
図３０は、本発明の実施形態におけるコンテンツ管理サーバ８によるユーザの同行者有無判定の処理手順の一例を示すフローチャート図である。なお、図３０に示すステップＳ２０３１の処理は、図２９に示すステップＳ２０２の処理の終了後に実行される。
【０２１１】
まず同行者判定部８４５は、配信場所に位置するユーザの通信端末５の位置情報履歴から現在から遡って所定数（例えば１０）の履歴（位置情報及び受信日時）を抽出する（Ｓ２０３１）。具体的に、同行者判定部８４５は、配信場所に位置する通信端末５の識別情報に基づき、位置情報履歴記憶部８４９１から、その識別情報に対応する所定数の位置情報（緯度、経度、階数、棟番号）及び受信日時を抽出する。ここで、抽出する所定数の位置情報は、最新の受信日時から遡った所定数の履歴である。具体的には、図１８を例にすると履歴ＩＤの「１」〜「１０」に対応する位置情報及び受信日時である。
【０２１２】
次に、同行者判定部８４５は、位置情報履歴からステップＳ２０３１で履歴を抽出した通信端末５とは異なる他の通信端末５の所定数（例えば１０）の履歴（位置情報及び受信日時）を抽出する（Ｓ２０３２）。
【０２１３】
次に、同行者判定部８４５は、ステップＳ２０３１で抽出した配信場所に位置する通信端末５の履歴及びステップＳ２０３２で抽出した他の通信端末５の履歴について、過去に遡って１回目（履歴ＩＤ「１」）の履歴を比較する（Ｓ２０３３）。ここで、履歴の比較は、同じ履歴ＩＤである両者の受信日時の差が所定の誤差（±３０秒）の範囲以内であるか否かが判定され、所定の誤差の範囲内である場合、次に両者の位置情報の比較が行われる。
【０２１４】
同行者判定部８４５は、両者の位置情報が一致するか否かを判定する（Ｓ２０３４）。なお、本発明の実施形態における位置情報の一致とは、緯度・経度・棟番号・階数の完全な一致に限らず、例えば棟番号及び階数が一致する場合であって配信場所に位置する通信端末５の緯度・経度を中心として一定の範囲（例えば半径１０メートルの円）に、他の通信端末５の緯度・経度が含まれる場合を含む。
【０２１５】
ここで、両者の位置情報が一致する場合（ステップＳ２０３４においてＹＥＳ）、同行者判定部８４５は、所定数（ここでは例えば１０件の履歴）の比較が終了したか否かを判定する（Ｓ２０３５）。次に、所定数の比較が終了していない場合（ステップＳ２０３５においてＮＯ）、位置情報の比較対象とする履歴回（履歴ＩＤ）を「１」カウントアップする（Ｓ２０３６）。そして、カウントアップした履歴ＩＤについて位置情報が一致するか否かが判定される（Ｓ２０３４）。所定数の履歴の比較の結果、位置情報が一致した場合（ステップＳ２０３５においてＹＥＳ）、同行者判定部８４５はユーザに同行者がいると判定する（Ｓ２０３７）。
【０２１６】
一方、履歴を遡り比較する中で、位置情報が一致しなかった場合（ステップＳ２０３４においてＮＯ）、同行者判定部８４５はユーザに同行者がいないと判定する（Ｓ２０３８）。
【０２１７】
そして、ステップＳ２０３７の処理後、図２９に示すステップＳ２０４が実行され、ステップＳ２０３８の処理後、図２９に示すステップＳ２０８の処理が実行される。
【０２１８】
上述した処理手順により、コンテンツ管理サーバ８は、位置情報履歴に基づき同行者の有無を判定できる。
【０２１９】
以上、本発明の実施形態のコンテンツ提供システム１によれば、ユーザの位置情報履歴からユーザの同行者の有無を判定し、判定結果に基づく適当なコンテンツを、ユーザの近傍の表示装置６に提供できる。
【０２２０】
これにより、ユーザ及びコンテンツの提供者（管理者等）による特別な操作をすることなく、コンテンツ提供システム１は、簡易にユーザの状況（同行者の有無や過去の訪問店舗の情報等）に適合した効果的なコンテンツをユーザに提供できる。
〔変形例〕
本発明の実施形態の変形例では、ユーザ所有物４が携帯端末である場合、携帯端末によるコンテンツの取得要求に基づき、位置情報履歴を利用してコンテンツ管理サーバ８がコンテンツを選択する。そして、コンテンツ管理サーバ８から携帯端末にコンテンツを配信する。
【０２２１】
[機能構成（変形例）]
図３１は、本発明の実施形態におけるユーザ所有物４（携帯端末４ａ）及びコンテンツ管理サーバ８の機能構成の一例を示す図である。
【０２２２】
＜ユーザ所有物（携帯端末）＞
変形例における携帯端末４ａは、送受信部４４１、操作入力受付部４４２、表示制御部４４３、コンテンツ取得要求部４４５、コンテンツ受付部４４６、記憶・読出部４４８及び記憶部４４９等を有する。また、コンテンツ取得要求部４４５及びコンテンツ受付部４４６は、コンテンツ取得アプリ４４４に含まれる。
【０２２３】
記憶部４４９は、携帯端末４ａの識別情報（例えばＭＡＣアドレス）やアドレス情報（例えばＩＰアドレス）、コンテンツ管理サーバ８から配信されるコンテンツ等を記憶する。
【０２２４】
記憶・読出部４４８は、図１３に示されるＣＰＵ４２１の処理によって実現され、記憶部４４９に各種データを記憶し、記憶部４４９から各種データを読み出す。
【０２２５】
送受信部４４１は、ＣＰＵ４２１の処理並びに通信部４３３及び無線ＬＡＮ通信部４３４によって実現され、無線通信によって、コンテンツ管理サーバ８と各種データの送受信を行う。なお、送受信部４４１は、携帯端末４ａがイーサネットカードを備え、ネットワーク８９３が有線ＬＡＮである場合はイーサネット（登録商標）によりデータの送受信を行ってもよい。
【０２２６】
操作入力受付部４４２は、ＣＰＵ４２１の処理及びタッチパネル４３７によって実現され、携帯端末４ａのユーザから各種の選択又は入力を受け付ける。
【０２２７】
表示制御部４４３は、ＣＰＵ４２１の処理によって実現され、ディスプレイ４３６に各種画像や文字等を表示させるための制御を行う。本発明の実施形態において、受信したコンテンツを表示出力する。
【０２２８】
コンテンツ取得要求部４４５は、コンテンツ管理サーバ８からコンテンツを取得するためのコンテンツ取得要求を生成し、送受信部４４１を介してコンテンツ管理サーバ８に送信する。コンテンツ取得要求には、携帯端末４ａに取り付けられている通信端末５の識別情報が含まれる。コンテンツ取得要求の生成処理は、図３２（ａ）に示されるコンテンツ取得アプリ４４４のコンテンツ取得指示画面における入力指示の受付を契機に開始される。
【０２２９】
図３２は、本発明の実施形態の変形例におけるコンテンツ取得アプリ４４４により表示される画面の一例を示す図である。まずコンテンツ取得アプリ４４４が起動されると、図３２（ａ）に示されるコンテンツ取得指示画面が表示される。コンテンツ取得指示画面には、コンテンツの取得ボタン４４４１及びキャンセルボタン４４４２が含まれる。ユーザによりコンテンツの取得ボタン４４４１が押下されると、コンテンツ取得要求部４４５は、コンテンツ取得要求を生成する。ユーザによりキャンセルボタン４４４２が押下されると、コンテンツ取得アプリ４４４は終了する。
【０２３０】
コンテンツ受付部４４６は、コンテンツ管理サーバ８から配信されるコンテンツを受け付け、受け付けたコンテンツを記憶部４４９に記憶するとともに、表示制御部４４３にコンテンツの受付を通知する。コンテンツ管理サーバ８から送信されたコンテンツを受け付けると、図３２（ｂ）に示されるコンテンツ表示画面が表示される。コンテンツ表示画面には、コンテンツの受信完了を示すメッセージ４４４３、コンテンツの表示又は非表示の選択する選択ボタン４４４４、コンテンツの表示部４４４５及び閉じるボタン４４４６が含まれる。
【０２３１】
図３１に戻り説明する。
【０２３２】
＜ユーザ所有物（携帯端末）＞
変形におけるコンテンツ管理サーバ８は、本発明の実施形態の場合の機能構成（図１７参照）から、さらにコンテンツ取得要求受付部８４４ａを有する。なお、変形例において位置情報監視部８４４は必要としない。また、本発明の実施形態におけるコンテンツ管理サーバ８が有する機能と同じ機能の説明は省略する。
【０２３３】
コンテンツ取得要求受付部８４４ａは、携帯端末４ａから送信されるコンテンツ取得要求を受け付ける。コンテンツ取得要求には、上述したように携帯端末４ａに取り付けられた通信端末５の識別情報が含まれている。コンテンツ取得要求受付部８４４ａは、コンテンツ取得要求に含まれる通信端末５の識別情報を同行者判定部８４５に通知する。
【０２３４】
[動作手順（変形例）]
図３３は、本発明の実施形態の変形例におけるコンテンツ提供システム１が位置情報履歴に基づきコンテンツを選択し配信する動作手順の一例を示すシーケンス図である。なお、図３３において図２７に示す処理と同一の処理には、同一のステップ番号を付与しており、これらの詳細な説明は省略する。
【０２３５】
Ｓ４１：携帯端末４ａのユーザは、携帯端末４ａを操作し、コンテンツ取得アプリ４４４を起動させ、コンテンツ取得指示画面（図３２（ａ）参照）において、コンテンツの取得指示を行う。操作入力受付部４４２が、コンテンツの取得指示を受け付けると、コンテンツ取得要求部４４５に通知する。
【０２３６】
Ｓ４２：コンテンツ取得要求部４４５は、携帯端末４ａに取り付けられた通信端末５の識別情報を含むコンテンツ取得要求を生成する。
【０２３７】
Ｓ４３：コンテンツ取得要求部４４５は、生成したコンテンツ取得要求を、送受信部４４１を介してコンテンツ管理サーバ８に送信する。
【０２３８】
コンテンツ管理サーバ８のコンテンツ取得要求受付部８４４ａは、コンテンツ取得要求に含まれる通信端末５の識別情報を同行者判定部８４５に通知する。
【０２３９】
Ｓ４４：コンテンツ配信部８４７は、選択されたコンテンツを、コンテンツ取得要求を送信した携帯端末４ａに配信する。
【０２４０】
携帯端末４ａのコンテンツ受付部４４６が、コンテンツ管理サーバ８から配信されたコンテンツを受信し、受信したコンテンツを記憶部４４９に記憶するとともに、表示制御部４４３にコンテンツの受信を通知する。
【０２４１】
Ｓ４５：表示制御部４４３は、配信されたコンテンツを記憶部４４９から読み出し、コンテンツ表示画面（図３２（ｂ）参照）に表示させる。
【０２４２】
以上、本発明の実施形態の変形例におけるコンテンツ提供システム１によれば、ユーザが所持する携帯端末４ａからのコンテンツ取得要求に基づき、位置情報履歴を利用して選択されたコンテンツを、携帯端末４ａに表示させることができる。
【０２４３】
これにより、ユーザは、コンテンツを取得する場所によらずユーザが所望するときに最適なコンテンツを取得できる。
【０２４４】
なお、本発明の実施形態の変形例において、コンテンツ取得要求を行う機器をユーザ所有物４の一例である携帯端末４ａとしたが、コンテンツ取得要求を行う機器は携帯端末に限らず、コンテンツ取得アプリ４４４がインストールされる機器であれば、機器の種別は問わずコンテンツ提供システム１の機能は動作される。
【０２４５】
なお、本発明の実施形態の変形例において、コンテンツ取得要求部４４５及びコンテンツ受付部４４６の機能は、コンテンツ取得アプリ４４４が有するのではなく、例えばインターネットにおけるコンテンツ取得用サイトを経由して、コンテンツ取得要求を行うようにしてもよい。これにより、携帯端末４ａは、コンテンツ取得アプリ４４４をインストールせずとも、コンテンツ提供システム１の機能を利用できる。
〔その他の変形例〕
なお、本発明の実施形態における同行者は一人である場合に限らず、同行者が二人以上の複数人存在してもよい。同行者が複数人存在した場合においてもコンテンツ提供システム１は動作する。
【０２４６】
なお、本発明の実施形態において、位置情報管理サーバ９とコンテンツ管理サーバ８とを異なる装置としたが、例えばコンテンツ管理サーバ８が、位置情報管理サーバ９が備える通信端末５の位置情報を管理する機能（図１５参照）を有してもよい。
【０２４７】
なお、本発明の実施形態において、コンテンツ管理サーバ８が位置情報履歴記憶部８４９１、配信場所記憶部８４９２、通信端末所有者情報記憶部８４９３、店舗情報記憶部８４９４及びコンテンツデータ記憶部８４９５を有するが、これらに記憶される情報は外部サーバ又は外部記録媒体等に記憶される構成としてもよい。
【０２４８】
以上、本発明の実施形態について詳述したが、本発明はかかる特定の実施の形態に限定されるものではなく、特許請求の範囲に記載された本発明の要旨の範囲内において、種々の変形、変更が可能である。
【符号の説明】
【０２４９】
１        コンテンツ提供システム
３        配信装置
４        ユーザ所有物
４ａ      携帯端末
４４４    コンテンツ取得アプリ
４４５    コンテンツ取得要求部
４４６    コンテンツ受付部
５        通信端末
６        表示装置
６２      表示制御部
６３      コンテンツ受信部
７        ゲートウェイ装置
８        コンテンツ管理サーバ
８４２    位置情報履歴作成部
８４３    位置情報取得部
８４４    位置情報監視部
８４５    同行者判定部
８４６    コンテンツ選択部
８４７    コンテンツ配信部
８４９１  位置情報履歴記憶部
８４９２  配信場所記憶部
８４９３  通信端末所有者情報記憶部
８４９４  店舗情報記憶部
８４９５  コンテンツデータ記憶部
９        位置情報管理サーバ
９３      位置情報取得応答部
９９１    位置情報記憶部
【先行技術文献】
【特許文献】
【０２５０】
【特許文献１】特開２００９−１６９８４３号公報
【図１】
2014115842.tif 000003
【図２】
2014115842.tif 000004
【図３】
2014115842.tif 000005
【図４】
2014115842.tif 000006
【図５】
2014115842.tif 000007
【図６】
2014115842.tif 000008
【図７】
2014115842.tif 000009
【図８】
2014115842.tif 000010
【図９】
2014115842.tif 000011
【図１０】
2014115842.tif 000012
【図１１】
2014115842.tif 000013
【図１２】
2014115842.tif 000014
【図１３】
2014115842.tif 000015
【図１４】
2014115842.tif 000016
【図１５】
2014115842.tif 000017
【図１６】
2014115842.tif 000018
【図１７】
2014115842.tif 000019
【図１８】
2014115842.tif 000020
【図１９】
2014115842.tif 000021
【図２０】
2014115842.tif 000022
【図２１】
2014115842.tif 000023
【図２２】
2014115842.tif 000024
【図２３】
2014115842.tif 000025
【図２４】
2014115842.tif 000026
【図２５】
2014115842.tif 000027
【図２６】
2014115842.tif 000028
【図２７】
2014115842.tif 000029
【図２８】
2014115842.tif 000030
【図２９】
2014115842.tif 000031
【図３０】
2014115842.tif 000032
【図３１】
2014115842.tif 000033
【図３２】
2014115842.tif 000034
【図３３】
2014115842.tif 000035